(57)【要約】【課題】配管が簡易でシンプルなものであり、熱交換器として構造が複雑な三流体熱交換器等の構造を採用する必要がなく、循環ポンプや熱交換器の数を極力少なくして、構成の簡素化及びコストの低減を図る。【解決手段】上水の圧力で給湯タンク２から取り出した水をバーナー加熱式熱交換器６を経由して給湯利用箇所１に供給する第１水路と、循環ポンプ３の圧力でバーナー加熱式熱交換器６と負荷熱交換器７とヒートポンプ加熱式熱交換器５を経由して水が循環する第２水路と、循環ポンプ３の圧力でヒートポンプ加熱式熱交換器５と負荷熱交換器７を経由して水が循環する第３水路とを備え、第１水路と第２水路は、バーナー加熱式熱交換器６を含む水路が少なくとも共通に構成され、第２水路と第３水路は、循環ポンプ３と負荷熱交換器７とヒートポンプ加熱式熱交換器５を含む水路が少なくとも共通に構成されている。【選択図】図２
2011247568.tif 000002
【特許請求の範囲】
【請求項１】
給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器と前記ヒートポンプ加熱式熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている熱媒供給装置。
【請求項２】
前記第１水路と前記第３水路は、独立して水を通流させるように構成されている請求項１に記載の熱媒供給装置。
【請求項３】
前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第６流路部位における前記循環ポンプと前記第２流路部位への接続箇所までの間の部位及び前記第４流路部位における前記第１開閉弁又は前記第１比例弁と前記負荷熱交換器の間の部位を接続して第２開閉弁又は第２比例弁が設けられた第７流路部位とが備えられ、前記第１水路は、前記第１流路部位と前記給湯タンクと前記第２流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている請求項２に記載の熱媒供給装置。
【請求項４】
前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続して前記循環ポンプが設けられた第５流路部位と、前記ヒートポンプ加熱式熱交換器と前記第２流路部位の途中部位を接続する第６流路部位と、前記第６流路部位及び前記第４流路部位における前記第１開閉弁又は前記第１比例弁と前記負荷熱交換器の間の部位を接続して第２開閉弁又は第２比例弁が設けられた第７流路部位とが備えられ、前記第１水路は、前記第１流路部位と前記給湯タンクと前記第２流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている請求項２に記載の熱媒供給装置。
【請求項５】
前記第１水路と前記第３水路は、前記循環ポンプと前記ヒートポンプ加熱式熱交換器を含む水路が少なくとも共通に構成されている請求項１に記載の熱媒供給装置。
【請求項６】
前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第６流路部位における前記循環ポンプと前記第２流路部位への接続箇所までの間の部位及び前記第４流路部位における前記第１開閉弁又は前記第１比例弁と前記負荷熱交換器の間の部位を接続して第２開閉弁又は第２比例弁が設けられた第７流路部位と、前記第１流路部位の途中部位と前記第５流路部位の途中部位とを接続する第８流路部位とが備えられ、前記第１水路は、前記第１流路部位と前記給湯タンクと前記第２流路部位と前記第８流路部位と前記第５流路部位の一部と前記ヒートポンプ加熱式熱交換器と前記第６流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている請求項５に記載の熱媒供給装置。
【請求項７】
前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続して前記循環ポンプが設けられた第５流路部位と、前記ヒートポンプ加熱式熱交換器と前記第２流路部位の途中部位を接続する第６流路部位と、前記第６流路部位及び前記第４流路部位における前記第１開閉弁又は前記第１比例弁と前記負荷熱交換器の間の部位を接続して第２開閉弁又は第２比例弁が設けられた第７流路部位と、前記第１流路部位の途中部位と前記第５流路部位における前記負荷熱交換器と前記循環ポンプの間の部位とを接続する第８流路部位とが備えられ、前記第１水路は、前記第１流路部位と前記給湯タンクと前記第２流路部位と前記第８流路部位と前記第５流路部位の一部と前記ヒートポンプ加熱式熱交換器と前記第６流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている請求項５に記載の熱媒供給装置。
【請求項８】
前記第１水路と前記第２水路は、前記循環ポンプと前記バーナー加熱式熱交換器と前記負荷熱交換器と前記ヒートポンプ加熱式熱交換器を含む水路が少なくとも共通に構成されている請求項１に記載の熱媒供給装置。
【請求項９】
少なくとも前記バーナー加熱式熱交換器をバイパスして前記循環ポンプの圧力を使わずに上水の圧力で前記給湯タンクから取り出した水を前記給湯利用箇所に直接供給する第１バイパス水路を形成可能に構成されている請求項１、２、５、８の何れか１項に記載の熱媒供給装置。
【請求項１０】
前記循環ポンプの圧力で前記ヒートポンプ加熱式熱交換器をバイパスして前記バーナー加熱式熱交換器と前記負荷熱交換器を経由して水が循環する第２バイパス水路を形成可能に構成されている請求項１、２、５、８、９の何れか１項に記載の熱媒供給装置。
【請求項１１】
前記負荷熱交換器として、暖房負荷用の第１負荷熱交換器と追焚負荷用の第２負荷熱交換器とが直列状態で備えられている請求項１〜１０の何れか１項に記載の熱媒供給装置。
【請求項１２】
前記負荷熱交換器として、暖房負荷用の第１負荷熱交換器と追焚負荷用の第２負荷熱交換器とが並列状態で備えられている請求項１〜１０の何れか１項に記載の熱媒供給装置。
【請求項１３】
前記第２水路により前記バーナー加熱式熱交換器にて加熱した水を前記負荷熱交換器に供給するバーナー加熱状態と前記第３水路により前記ヒートポンプ加熱式熱交換器にて加熱した水を前記負荷熱交換器に供給するヒートポンプ加熱状態に切換自在で、且つ、前記負荷熱交換器で要求されている熱負荷に対して、前記バーナー加熱状態に切り換えた場合と前記ヒートポンプ加熱状態に切り換えた場合との１次エネルギー消費量が小さい方を選択して切り換える切換手段が備えられている請求項１〜１２の何れか１項に記載の熱媒供給装置。
【請求項１４】
前記循環ポンプの圧力で前記給湯タンクと前記ヒートポンプ加熱式熱交換器を経由して水が循環する第４水路を備え、その第４水路によって、前記給湯タンクから取り出した水を前記ヒートポンプ加熱式熱交換器にて加熱し、その加熱された水を前記給湯タンクに戻すように水を循環自在に構成されている請求項１〜１３の何れか１項に記載の熱媒供給装置。
【請求項１５】
前記給湯タンクに接続されて上水を前記給湯タンクに給水する第１流路部位と、前記給湯タンクと前記バーナー加熱式熱交換器を接続する第２流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第１流路部位の途中部位と前記第５流路部位の途中部位とを接続する第８流路部位とが備えられ、前記第４水路は、前記給湯タンクと前記第１流路部位の一部と前記第８流路部位と前記５流路部位の一部と前記ヒートポンプ加熱式熱交換器と前記第６流路部位と前記第２流路部位の一部とから構成されている請求項１４に記載の熱媒供給装置。
【請求項１６】
前記第２水路と前記第４水路は、前記給湯タンクから取り出した水を前記バーナー加熱式熱交換器にて加熱し、その加熱された水を前記給湯タンクに戻すように水を循環自在に構成されている請求項１４又は１５に記載の熱媒供給装置。
【請求項１７】
前記給湯タンクから取り出した水を太陽熱にて加熱し、その加熱された水を前記給湯タンクに戻す太陽熱加熱水路が備えられている請求項１〜１６の何れか１項に記載の熱媒供給装置。
【請求項１８】
熱と電力とを発生する熱電併給装置を備え、前記給湯タンクから取り出した水を前記熱電併給装置にて発生した排熱にて加熱し、その加熱された水を前記給湯タンクに戻す排熱加熱水路が備えられている請求項１〜１７の何れか１項に記載の熱媒供給装置。
【請求項１９】
前記ヒートポンプ装置は、前記熱電併給装置が発生する電力のうち、電力供給部にて消費されない余剰電力の少なくとも一部の供給により作動自在に構成されている請求項１８に記載の熱媒供給装置。
【請求項２０】
前記循環ポンプの圧力で前記給湯タンクと前記ヒートポンプ加熱式熱交換器を経由して水が循環する第４水路を備え、その第４水路によって、前記給湯タンクから取り出した水を前記ヒートポンプ加熱式熱交換器にて加熱し、その加熱された水を前記給湯タンクに戻すように水を循環自在に構成され、前記太陽熱加熱水路と前記排熱加熱水路の少なくとも一方が、前記第４水路と兼用となっている請求項１７〜１９の何れか１項に記載の熱媒供給装置。
【請求項２１】
給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、少なくとも前記バーナー加熱式熱交換器をバイパスして前記循環ポンプの圧力を使わずに上水の圧力で前記給湯タンクから取り出した水を前記給湯利用箇所に直接供給する第１バイパス水路と、前記循環ポンプの圧力で前記バーナー加熱式熱交換器と前記負荷熱交換器と前記ヒートポンプ加熱式熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている熱媒供給装置。
【請求項２２】
給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器を経由して水が循環する第２バイパス水路と、前記循環ポンプの圧力で前記ヒートポンプ加熱式熱交換器と前記負荷熱交換器を経由して水が循環する第３水路とを備え、前記第１水路と前記第２バイパス水路は、前記バーナー加熱式熱交換器を含む水路が少なくとも共通に構成され、前記第２バイパス水路と前記第３水路は、前記循環ポンプと前記負荷熱交換器を含む水路が少なくとも共通に構成されている熱媒供給装置。
【請求項２３】
給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、熱電併給装置にて発生した排熱により水を加熱する排熱熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器と前記ヒートポンプ加熱式熱交換器と前記排熱熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている熱媒供給装置。
【発明の詳細な説明】
【技術分野】
【０００１】
本発明は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器とを備えた熱媒供給装置に関する。
【背景技術】
【０００２】
このような熱媒供給装置は、給湯タンクに貯留されている水をヒートポンプ加熱式熱交換器やバーナー加熱式熱交換器にて加熱して温水とし、給湯利用箇所に供給するとともに、ヒートポンプ加熱式熱交換器やバーナー加熱式熱交換器にて循環水を加熱して温水とし、その循環温水を負荷熱交換器に供給して暖房負荷や追焚負荷での熱消費に用いている。
【０００３】
従来の熱媒供給装置では、上水の圧力で給湯タンクから取り出した水を第１バーナー加熱式熱交換器を経由して給湯利用箇所に供給する給湯用水路と、第１循環ポンプの圧力で給湯タンクから取り出した水をヒートポンプ加熱式熱交換器を経由して給湯タンクに戻すタンク循環用水路と、第２循環ポンプの圧力でヒートポンプ加熱式熱交換器と第２バーナー加熱式熱交換器と負荷熱交換器を経由して水が循環する負荷循環用水路とが備えられている（例えば、特許文献１、２参照。）。
【０００４】
そして、特許文献１、２に記載の装置では、給湯用水路が、上水の圧力によって給湯タンクに貯留されている温水を給湯利用箇所に供給することができるとともに、給湯タンクに温水が貯留されていないときでも、給湯タンクに貯留されている水を第１バーナー加熱式熱交換器にて加熱して温水とし、その温水を給湯利用箇所に供給可能に構成されている。このように、給湯用水路は、上水の圧力によって、給湯タンクの水を用いて給湯利用箇所に温水を供給するものであるが、タンク循環用水路では、第１循環ポンプの圧力により水を循環させており、負荷循環用水路も、第２循環ポンプの圧力により水を循環させている。
【０００５】
また、特許文献１、２に記載の装置では、給湯用水路とタンク循環用水路と負荷循環用水路との夫々は、独立して水を通流させる回路として構成されている。そして、給湯用水路及び負荷循環用水路の夫々に、バーナー加熱式熱交換器が各別に設けられており、タンク循環用水路及び負荷循環用水路の夫々に、循環ポンプが各別に設けられている。また、ヒートポンプ加熱式熱交換器では、ヒートポンプ装置の媒体とタンク循環用水路の水とを熱交換させるとともに、ヒートポンプ装置の媒体と負荷循環用水路の水とを熱交換させるために、三流体熱交換器にて構成されている。
【０００６】
別の従来の熱媒供給装置では、上水の圧力で給湯タンクから取り出した水をそのまま給湯利用箇所に供給する給湯用水路と、循環ポンプの圧力でヒートポンプ加熱式熱交換器と負荷熱交換器を経由して水が循環する第１負荷循環用水路と、循環ポンプの圧力でバーナー加熱式熱交換器と負荷熱交換器を経由して水が循環する第２負荷循環用水路とが備えられている（例えば、特許文献３参照。）。
この特許文献３に記載の装置では、循環ポンプ及びバーナー加熱式熱交換器が１つずつ設けられており、第１負荷循環用水路と第２負荷循環用水路が、循環ポンプとヒートポンプ加熱式熱交換器とバーナー加熱式熱交換器を含む水路が少なくとも共通に構成されている。
【先行技術文献】
【特許文献】
【０００７】
【特許文献１】特開２００９−２９９９４１号公報
【特許文献２】特開２００９−２９９９４２号公報
【特許文献３】特開２００１−３１７８０６号公報
【発明の概要】
【発明が解決しようとする課題】
【０００８】
上記特許文献１、２に記載の装置では、給湯用水路とタンク循環用水路と負荷循環用水路との夫々が独立して水を通流させる回路として構成されているので、水を通流させる流路部位を別々に配管しなければならない。よって、流路部位の数が多数になるとともに、その多数の流路部位を限られたスペースに配管しなければならず、配管が複雑になるという問題が生じる。
また、上記特許文献１、２に記載の装置では、循環ポンプ及びバーナー加熱式熱交換器の夫々が２つずつ設けられているので、部材点数が増加してコストアップに繋がるとともに、構成の複雑化を招くものとなっている。しかも、ヒートポンプ加熱式熱交換器が、構造が複雑な三流体熱交換器にて構成されているので、構成の複雑化がより顕著なものとなっている。
【０００９】
上記特許文献３に記載の装置では、第１負荷循環用水路と第２負荷循環用水路が、循環ポンプとヒートポンプ加熱式熱交換器とバーナー加熱式熱交換器を含む水路が少なくとも共通に構成されているので、特許文献１、２に記載の装置に比べて、流路部位の数を減らすことができ、配管が複雑になるという問題や、構成の複雑化及びコストアップを招くという問題を解消できるとも考えられる。
しかしながら、上記特許文献３に記載の装置では、上記特許文献１、２に記載の装置とは異なり、給湯用水路が、上水の圧力で給湯タンクから取り出した水をそのまま給湯利用箇所に供給する。したがって、給湯タンクの水を加熱して供給することができないため、給湯設定温度より少しでも温度が低い水が給湯タンクに貯留されているときには、温水を給湯タンクから全く供給することができない。そこで、循環ポンプ経由で供給された上水をバーナー加熱式熱交換器を経由して給湯利用箇所に供給する水路等を新たに備えなければならない。その為に、新たな流路部位を備えなければならず、結局、流路部位の数や部材点数が増加し、配管が複雑になり、構成の複雑化を招く虞がある。
【００１０】
本発明は、かかる点に着目してなされたものであり、その目的は、配管が簡易でシンプルなものであり、熱交換器として構造が複雑な三流体熱交換器等の構造を採用する必要がなく、循環ポンプや熱交換器や弁の数を極力少なくして、構成の簡素化及びコストの低減を図ることができる熱媒供給装置を提供する点にある。
【課題を解決するための手段】
【００１１】
この目的を達成するために、本発明に係る熱媒供給装置の特徴構成は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器と前記ヒートポンプ加熱式熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている点にある。
【００１２】
本特徴構成によれば、第１水路が、上水の圧力で給湯タンクから取り出した水をバーナー加熱式熱交換器を経由して給湯利用箇所に供給するので、上水の圧力によって給湯タンクに貯留されている温水を給湯利用箇所に供給することができるとともに、給湯タンクに給湯設定温度より温度が低い水が貯留されているときでも、給湯タンクに貯留されている水をバーナー加熱式熱交換器にて加熱して温水とし、その温水を給湯利用箇所に供給することができる。すなわち、少なくとも上水の圧力で給湯タンクから取り出した水をバーナー加熱式熱交換器を経由して給湯利用箇所に供給する第１水路を備えている。これにより、第１水路では、給湯タンクの水をバーナー加熱式熱交換器を経由して給湯利用箇所に供給するために、少なくとも上水の圧力を用いることができる。また、第２水路又は第３水路が、同一の循環ポンプの圧力で、給湯タンクを介さずに、バーナー加熱式熱交換器又はヒートポンプ加熱式熱交換器にて加熱した水を負荷熱交換器に供給することができる。
【００１３】
そして、第１水路と第２水路の間では、バーナー加熱式熱交換器を含む水路が少なくとも共通であり、第２水路と第３水路は、循環ポンプと負荷熱交換器とヒートポンプ加熱式熱交換器を含む水路が少なくとも共通であるので、１つの流路部位を各水路にて共通のものとして利用でき、流路部位の数を少なくすることができるとともに、循環ポンプ、バーナー加熱式熱交換器、及び、ヒートポンプ加熱式熱交換器の夫々を１つずつ設けるだけでよい。したがって、配管が簡易でシンプルなものであり、熱交換器として構造が複雑な三流体熱交換器等の構造を採用する必要がなく、循環ポンプや熱交換器の数を極力少なくして、構成の簡素化及びコストの低減を図ることができる熱媒供給装置を実現できる。
【００１４】
本発明に係る熱媒供給装置の更なる特徴構成は、前記第１水路と前記第３水路は、独立して水を通流させるように構成されている点にある。
【００１５】
本特徴構成によれば、第１水路と第３水路が、独立して水を通流させるので、第１水路は、循環ポンプの圧力の影響を受けることなく、ヒートポンプ加熱式熱交換器を介さずに、上水の圧力によって給湯タンクの水をバーナー加熱式熱交換器を経由して給湯利用箇所に供給することができるとともに、第３水路は、上水の圧力の影響をうけることなく、バーナー加熱式熱交換器を介さずに、循環ポンプの圧力によってヒートポンプ加熱式熱交換器と負荷熱交換器を経由して水を循環させることができる。したがって、第１水路にて、上水の圧力で給湯タンクから取り出した水をバーナー加熱式熱交換器を経由して給湯利用箇所に供給することと、循環ポンプの圧力でヒートポンプ加熱式熱交換器と負荷熱交換器を経由して水が循環することを、お互いに干渉することなく同時に行うことができる。したがって、給湯利用箇所への給湯とヒートポンプ加熱式熱交換器を熱源とする暖房負荷又は追焚負荷での熱消費を容易に同時に行うことができる。
【００１６】
本発明に係る熱媒供給装置の更なる特徴構成は、前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第６流路部位における前記循環ポンプと前記第２流路部位への接続箇所までの間の部位及び前記第４流路部位における前記第１開閉弁又は前記第１比例弁と前記負荷熱交換器の間の部位を接続して第２開閉弁又は第２比例弁が設けられた第７流路部位とが備えられ、前記第１水路は、前記第１流路部位と前記給湯タンクと前記第２流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている点にある。
【００１７】
本特徴構成によれば、流路部位として、第１〜第７流路部位の７つの流路部位が備えられるが、第１水路、第２水路、及び、第３水路の夫々が、複数の流路部位を組み合わせて適切に構成することができる。そして、第１水路と第２水路は、第２流路部位の一部、バーナー加熱式熱交換器、及び、第３流路部位の一部を共通に構成することができる。また、第２水路と第３水路は、第４流路部位の一部、負荷熱交換器、第５流路部位の全て、ヒートポンプ加熱式熱交換器、第６流路部位の一部、及び、循環ポンプを共通に構成することができる。さらに、第１水路と第３水路は、別々の流路部位にて構成することができる。したがって、第１水路、第２水路、及び、第３水路の間で、共通な流路部位を備えながら、開閉弁や比例弁を適宜切り換えることで、各水路を適切に構成することができるとともに、開閉弁や比例弁の数を極力少なくして、部材点数の増加を適切に防止して構成の簡素化を図ることができる。
【００１８】
本発明に係る熱媒供給装置の更なる特徴構成は、前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続して前記循環ポンプが設けられた第５流路部位と、前記ヒートポンプ加熱式熱交換器と前記第２流路部位の途中部位を接続する第６流路部位と、前記第６流路部位及び前記第４流路部位における前記第１開閉弁又は前記第１比例弁と前記負荷熱交換器の間の部位を接続して第２開閉弁又は第２比例弁が設けられた第７流路部位とが備えられ、前記第１水路は、前記第１流路部位と前記給湯タンクと前記第２流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている点にある。
【００１９】
第１〜第７流路部位の７つの流路部位が備えられた上述の特徴構成では、循環ポンプが第６流路部位に配置されている。この本特徴構成でも、流路部位として、第１〜第７流路部位の７つの流路部位が備えられており、循環ポンプが第５流路部位に配置されている点で異なるが、上述の特徴構成で述べた作用効果と同様の作用効果を有する。つまり、第１〜第７流路部位を組み合わせて、第１水路、第２水路、及び、第３水路の間で、共通な流路部位を備えながら、開閉弁や比例弁を適宜切り換えることで、各水路を適切に構成することができるとともに、開閉弁や比例弁の数を極力少なくして、部材点数の増加を適切に防止して構成の簡素化を図ることができる。
【００２０】
本発明に係る熱媒供給装置の更なる特徴構成は、前記第１水路と前記第３水路は、前記循環ポンプと前記ヒートポンプ加熱式熱交換器を含む水路が少なくとも共通に構成されている点にある。
【００２１】
本特徴構成によれば、第１水路は、上水の圧力で給湯タンクから取り出した水をバーナー加熱式熱交換器を経由して給湯利用箇所に供給するとともに、上水の圧力や循環ポンプの圧力でヒートポンプ加熱式熱交換器を経由して水を給湯利用箇所に供給することができる。したがって、給湯利用箇所に給湯するときに、給湯タンクに貯留されている温水や水を供給するだけでなく、ヒートポンプ加熱式熱交換器にて加熱された水をも供給することができる。よって、給湯タンクに蓄熱されている熱だけでなく、ヒートポンプ装置から取得した熱をも、給湯利用箇所に供給することができ、エネルギー効率の向上を図ることができる。
【００２２】
本発明に係る熱媒供給装置の更なる特徴構成は、前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第６流路部位における前記循環ポンプと前記第２流路部位への接続箇所までの間の部位及び前記第４流路部位における前記第１開閉弁又は前記第１比例弁と前記負荷熱交換器の間の部位を接続して第２開閉弁又は第２比例弁が設けられた第７流路部位と、前記第１流路部位の途中部位と前記第５流路部位の途中部位とを接続する第８流路部位とが備えられ、前記第１水路は、前記第１流路部位と前記給湯タンクと前記第２流路部位と前記第８流路部位と前記第５流路部位の一部と前記ヒートポンプ加熱式熱交換器と前記第６流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている点にある。
【００２３】
本特徴構成によれば、流路部位として、第１〜第８流路部位の８つの流路部位が備えられるが、第１水路、第２水路、及び、第３水路の夫々が、複数の流路部位を組み合わせて適切に構成することができる。そして、第１水路と第２水路は、第２流路部位の一部、バーナー加熱式熱交換器、第３流路部位の一部、第５流路部位の一部、ヒートポンプ加熱式熱交換器、第６流路部位の全て、及び、循環ポンプを共通に構成することができる。また、第２水路と第３水路は、第４流路部位の一部、負荷熱交換器、第５流路部位の全て、ヒートポンプ加熱式熱交換器、第６流路部位の一部、及び、循環ポンプを共通に構成することができる。さらに、第１水路と第３水路は、第５流路部位の一部、ヒートポンプ加熱式熱交換器、第６流路部位の一部、循環ポンプを共通に構成することができる。したがって、第１水路、第２水路、及び、第３水路の間で、共通な流路部位を備えながら、開閉弁や比例弁を適宜切り換えることで、各水路を適切に構成することができるとともに、開閉弁や比例弁の数を極力少なくして、部材点数の増加を適切に防止して構成の簡素化を図ることができる。
【００２４】
本発明に係る熱媒供給装置の更なる特徴構成は、前記給湯タンクに接続されて上水を前記給湯タンクに給水する第１流路部位と、前記給湯タンクと前記バーナー加熱式熱交換器を接続する第２流路部位と、前記バーナー加熱式熱交換器と前記給湯利用箇所を接続する第３流路部位と、前記第３流路部位の途中部位と前記負荷熱交換器を接続して第１開閉弁又は第１比例弁が設けられた第４流路部位と、前記負荷熱交換器と前記ヒートポンプ加熱式熱交換器を接続して前記循環ポンプが設けられた第５流路部位と、前記ヒートポンプ加熱式熱交換器と前記第２流路部位の途中部位を接続する第６流路部位と、前記第６流路部位及び前記第４流路部位における前記第１開閉弁又は前記第１比例弁と前記負荷熱交換器の間の部位を接続して第２開閉弁又は第２比例弁が設けられた第７流路部位と、前記第１流路部位の途中部位と前記第５流路部位における前記負荷熱交換器と前記循環ポンプの間の部位とを接続する第８流路部位とが備えられ、前記第１水路は、前記第１流路部位と前記給湯タンクと前記第２流路部位と前記第８流路部位と前記第５流路部位の一部と前記ヒートポンプ加熱式熱交換器と前記第６流路部位と前記バーナー加熱式熱交換器と前記第３流路部位とから構成され、前記第２水路は、前記バーナー加熱式熱交換器と前記第３流路部位の一部と前記第４流路部位と前記負荷熱交換器と前記第５流路部位と前記ヒートポンプ加熱式熱交換器と前記第６流路部位と前記第２流路部位の一部とから構成され、前記第３水路は、前記ヒートポンプ加熱式熱交換器と前記第６流路部位の一部と前記第７流路部位と前記第４流路部位の一部と前記負荷熱交換器と前記第５流路部位とから構成されている点にある。
【００２５】
第１〜第８流路部位の８つの流路部位が備えられた上述の特徴構成では、循環ポンプが第６流路部位に配置されている。この本特徴構成でも、流路部位として、第１〜第８流路部位の８つの流路部位が備えられており、循環ポンプが第５流路部位に配置されている点で異なるが、上述の特徴構成で述べた作用効果と同様の作用効果を有する。つまり、第１〜第８流路部位を組み合わせて、第１水路、第２水路、及び、第３水路の間で、共通な流路部位を備えながら、開閉弁や比例弁を適宜切り換えることで、各水路を適切に構成することができるとともに、開閉弁や比例弁の数を極力少なくして、部材点数の増加を適切に防止して構成の簡素化を図ることができる。
【００２６】
本発明に係る熱媒供給装置の更なる特徴構成は、前記第１水路と前記第２水路は、前記循環ポンプと前記バーナー加熱式熱交換器と前記負荷熱交換器と前記ヒートポンプ加熱式熱交換器を含む水路が少なくとも共通に構成されている点にある。
【００２７】
本特徴構成によれば、第１水路は、上水の圧力で給湯タンクから取り出した水をバーナー加熱式熱交換器に供給できるとともに、循環ポンプの圧力でバーナー加熱式熱交換器と負荷熱交換器とヒートポンプ加熱式熱交換器を経由して循環される水をもバーナー加熱式熱交換器に供給できる。これにより、例えば、バーナー加熱式熱交換器の圧力損失が大きくても、上水の圧力だけでなく、循環ポンプの圧力をも利用して、バーナー加熱式熱交換器に対して水を供給することができるとともに、給湯タンクから取り出した水だけでなく、バーナー加熱式熱交換器と負荷熱交換器とヒートポンプ加熱式熱交換器を経由して循環される水をも、バーナー加熱式熱交換器に供給して、給湯利用箇所に供給される水の水量として十分な水量を確保することができる。しかも、給湯タンクから取り出した水がバーナー加熱式熱交換器にて加熱された水と混合されて、その混合された水がバーナー加熱式熱交換器に供給されるので、バーナー加熱式熱交換器に供給される水の温度が比較的安定した温度となる。その結果、バーナー加熱式熱交換器を経由して給湯利用箇所に供給される水の温度も安定した温度とすることができ、給湯利用箇所にて要求されている給湯設定温度の水を安定して供給することができる。
【００２８】
そして、循環ポンプとバーナー加熱式熱交換器と負荷熱交換器とヒートポンプ加熱式熱交換器を含む水路が少なくとも共通となるように、第１水路と第２水路を構成するための回路構成として、以下のように構成することができる。
【００２９】
つまり、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位とを備え、第１水路を、第１流路部位と給湯タンクと第２流路部位とバーナー加熱式熱交換器と第３流路部位と第４流路部位と負荷熱交換器と第５流路部位とヒートポンプ加熱式熱交換器と第６流路部位とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００３０】
また、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続して循環ポンプが設けられた第５流路部位と、ヒートポンプ加熱式熱交換器と第２流路部位の途中部位を接続する第６流路部位と、第６流路部位及び第４流路部位における第１開閉弁又は第１比例弁と負荷熱交換器の間の部位を接続して第２開閉弁又は第２比例弁が設けられた第７流路部位とを備え、第１水路を、第１流路部位と給湯タンクと第２流路部位とバーナー加熱式熱交換器と第３流路部位と第４流路部位と負荷熱交換器と第５流路部位とヒートポンプ加熱式熱交換器と第６流路部位とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することもできる。
【００３１】
このように、第１〜第７流路部位を組み合わせることで、第１水路、第２水路、第３水路の夫々を適切に構成することができ、開閉弁や比例弁の数を極力少なくして、部材点数の増加を適切に防止して構成の簡素化を図ることができる。
【００３２】
本発明に係る熱媒供給装置の更なる特徴構成は、少なくとも前記バーナー加熱式熱交換器をバイパスして前記循環ポンプの圧力を使わずに上水の圧力で前記給湯タンクから取り出した水を前記給湯利用箇所に直接供給する第１バイパス水路を形成可能に構成されている点にある。
【００３３】
本特徴構成によれば、第１バイパス水路では、バーナー加熱式熱交換器を介さずに、給湯タンクの水を給湯利用箇所に供給することができるので、第１バイパス水路にて給湯利用箇所への給湯を行っているときには、バーナー加熱式熱交換器を他の熱源として利用することができる。したがって、第１バイパス水路にて、上水の圧力で給湯タンクから取り出した水を給湯利用箇所に供給することと、第２水路にて、循環ポンプの圧力でバーナー加熱式熱交換器と負荷熱交換器を経由して水を循環させることを、お互いに干渉することなく同時に行うことができる。その結果、給湯利用箇所への給湯とバーナー加熱式熱交換器を熱源とする暖房負荷又は追焚負荷での熱消費を容易に同時に行うことができる。
【００３４】
ここで、第１バイパス水路を形成するための回路構成としては、下記のように構成することができる。
つまり、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位とバーナー加熱式熱交換器と第３流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００３５】
また、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続して循環ポンプが設けられた第５流路部位と、ヒートポンプ加熱式熱交換器と第２流路部位の途中部位を接続する第６流路部位と、第６流路部位及び第４流路部位における第１開閉弁又は第１比例弁と負荷熱交換器の間の部位を接続して第２開閉弁又は第２比例弁が設けられた第７流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位とバーナー加熱式熱交換器と第３流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００３６】
そして、第１水路と第３水路は、循環ポンプとヒートポンプ加熱式熱交換器を含む水路が少なくとも共通に構成されているとともに、第１バイパス水路を形成するための回路構成としては、下記のように構成することができる。
【００３７】
つまり、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第１流路部位の途中部位と第５流路部位の途中部位とを接続する第８流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位と第８流路部位と第５流路部位の一部とヒートポンプ加熱式熱交換器と第６流路部位とバーナー加熱式熱交換器と第３流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００３８】
また、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続して循環ポンプが設けられた第５流路部位と、ヒートポンプ加熱式熱交換器と第２流路部位の途中部位を接続する第６流路部位と、第６流路部位及び第４流路部位における第１開閉弁又は第１比例弁と負荷熱交換器の間の部位を接続して第２開閉弁又は第２比例弁が設けられた第７流路部位と、第１流路部位の途中部位と第５流路部位における負荷熱交換器と循環ポンプの間の部位とを接続する第８流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位と第８流路部位と第５流路部位の一部とヒートポンプ加熱式熱交換器と第６流路部位とバーナー加熱式熱交換器と第３流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００３９】
更に、第１水路と第２水路は、循環ポンプとバーナー加熱式熱交換器と負荷熱交換器とヒートポンプ加熱式熱交換器を含む水路が少なくとも共通に構成されているとともに、第１バイパス水路を形成するための回路構成としては、下記のように構成することができる。
【００４０】
つまり、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位とバーナー加熱式熱交換器と第３流路部位と第４流路部位と負荷熱交換器と第５流路部位とヒートポンプ加熱式熱交換器と第６流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００４１】
また、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続して循環ポンプが設けられた第５流路部位と、ヒートポンプ加熱式熱交換器と第２流路部位の途中部位を接続する第６流路部位と、第６流路部位及び第４流路部位における第１開閉弁又は第１比例弁と負荷熱交換器の間の部位を接続して第２開閉弁又は第２比例弁が設けられた第７流路部位と、第２流路部位における給湯タンクと第６流路部位への接続箇所までの間の部位及び第３流路部位における第４流路部位への接続箇所と給湯利用箇所までの間の部位を接続する第１バイパス流路部位とを備え、第１水路を、第１流路部位と給湯タンクと第２流路部位とバーナー加熱式熱交換器と第３流路部位と第４流路部位と負荷熱交換器と第５流路部位とヒートポンプ加熱式熱交換器と第６流路部位とで構成し、第１バイパス水路を、第１流路部位と給湯タンクと第２流路部位の一部と第１バイパス流路部位と第３流路部位の一部とで構成し、第２水路を、バーナー加熱式熱交換器と第３流路部位の一部と第４流路部位と負荷熱交換器と第５流路部位とヒートポンプ加熱式熱交換器と第６流路部位と第２流路部位の一部とで構成し、第３水路を、ヒートポンプ加熱式熱交換器と第６流路部位の一部と第７流路部位と第４流路部位の一部と負荷熱交換器と第５流路部位とで構成することができる。
【００４２】
上述の如く、何れの回路構成であっても、複数の流路部位を組み合わせることで、第１水路、第１バイパス水路、第２水路、第３水路の夫々を適切に構成することができ、開閉弁や比例弁の数を極力少なくして、部材点数の増加を適切に防止して構成の簡素化を図ることができる。
【００４３】
本発明に係る熱媒供給装置の更なる特徴構成は、前記循環ポンプの圧力で前記ヒートポンプ加熱式熱交換器をバイパスして前記バーナー加熱式熱交換器と前記負荷熱交換器を経由して水が循環する第２バイパス水路を形成可能に構成されている点にある。
【００４４】
本特徴構成によれば、第２バイパス水路では、ヒートポンプ加熱式熱交換器を介さずに、バーナー加熱式熱交換器と負荷熱交換器との間で水を循環することができるので、ヒートポンプ加熱式熱交換器を水が通過することによる放熱を防止することができる。したがって、水からの放熱を防止できながら、バーナー加熱式熱交換器にて加熱された水を負荷熱交換器に循環供給することができ、エネルギー効率の向上を図ることができる。
【００４５】
ここで、第２バイパス水路を形成するための回路構成としては、下記のように構成することができる。
つまり、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第５流路部位の途中部位と第６流路部位におけるヒートポンプ加熱式熱交換器と循環ポンプとの間の部位を接続する第２バイパス流路部位とを備え、第１水路を、第１流路部位と給湯タンクと第２流路部位とバーナー加熱式熱交換器と第３流路部位とで構成し、第２バイパス水路を、バーナー加熱式熱交換器と第３流路部位の一部と第４流路部位と負荷熱交換器と第５流路部位の一部と第２バイパス流路部位と第６流路部位の一部と第２流路部位の一部とで構成し、第３水路を、ヒートポンプ加熱式熱交換器と第６流路部位の一部と第７流路部位と第４流路部位の一部と負荷熱交換器と第５流路部位とで構成し、第１水路と第３水路は、独立して水を通流させるように構成することができる。
【００４６】
また、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第１流路部位の途中部位と第５流路部位の途中部位とを接続する第８流路部位と、第５流路部位における負荷熱交換器と第８流路部位との接続箇所までの間の部位と第６流路部位におけるヒートポンプ加熱式熱交換器と循環ポンプの間の部位を接続する第２バイパス流路部位とを備え、第１水路を、第１流路部位と給湯タンクと第２流路部位と第８流路部位と第５流路部位の一部とヒートポンプ加熱式熱交換器と第６流路部位とバーナー加熱式熱交換器と第３流路部位とで構成し、第２バイパス水路を、バーナー加熱式熱交換器と第３流路部位の一部と第４流路部位と負荷熱交換器と第５流路部位の一部と第２バイパス流路部位と第６流路部位の一部と第２流路部位の一部とで構成し、第３水路を、ヒートポンプ加熱式熱交換器と第６流路部位の一部と第７流路部位と第４流路部位の一部と負荷熱交換器と第５流路部位とで構成し、第１水路と第３水路は、循環ポンプとヒートポンプ加熱式熱交換器を含む水路を少なくとも共通に構成することができる。
【００４７】
さらに、給湯タンクに接続されて上水を給湯タンクに給水する第１流路部位と、給湯タンクとバーナー加熱式熱交換器を接続する第２流路部位と、バーナー加熱式熱交換器と給湯利用箇所を接続する第３流路部位と、第３流路部位の途中部位と負荷熱交換器を接続して第１開閉弁又は第１比例弁が設けられた第４流路部位と、負荷熱交換器とヒートポンプ加熱式熱交換器を接続する第５流路部位と、ヒートポンプ加熱式熱交換器と第２流路部位の途中部位を接続して循環ポンプが設けられた第６流路部位と、第６流路部位における循環ポンプと第２流路部位への接続箇所までの間の部位及び第４流路部位における第１開閉弁又は第１比例弁と負荷熱交換器の間の部位を接続して第２開閉弁又は第２比例弁が設けられた第７流路部位と、第５流路部位の途中部位と第６流路部位におけるヒートポンプ加熱式熱交換器と循環ポンプの間の部位を接続する第２バイパス流路部位とを備え、第１水路を、第１流路部位と給湯タンクと第２流路部位とバーナー加熱式熱交換器と第３流路部位と第４流路部位と負荷熱交換器と第５流路部位とヒートポンプ加熱式熱交換器と第６流路部位とで構成し、第２バイパス水路を、バーナー加熱式熱交換器と第３流路部位の一部と第４流路部位と負荷熱交換器と第５流路部位の一部と第２バイパス流路部位と第６流路部位の一部と第２流路部位の一部とで構成し、第３水路を、ヒートポンプ加熱式熱交換器と第６流路部位の一部と第７流路部位と第４流路部位の一部と負荷熱交換器と第５流路部位とで構成し、第１水路と第２水路は、循環ポンプとバーナー加熱式熱交換器と負荷熱交換器とヒートポンプ加熱式熱交換器を含む水路を少なくとも共通に構成することができる。
【００４８】
以上の如く、複数の流路部位を組み合わせて、第１水路、第２バイパス水路、第３水路の夫々を適切に構成することができ、開閉弁や比例弁の数を極力少なくして、部材点数の増加を適切に防止して構成の簡素化を図ることができる。
【００４９】
本発明に係る熱媒供給装置の更なる特徴構成は、前記負荷熱交換器として、暖房負荷用の第１負荷熱交換器と追焚負荷用の第２負荷熱交換器とが直列状態で備えられている点にある。
【００５０】
本特徴構成によれば、第１負荷熱交換器と第２負荷熱交換器とが直列状態で備えられているので、水を通流する流路部位を第１負荷熱交換器と第２負荷熱交換器とに分岐させる必要がなく、しかも、第１負荷熱交換器と第２負荷熱交換器に水を分配する三方弁等を設ける必要もなく、より一層構成の簡素化を図ることができる。
【００５１】
本発明に係る熱媒供給装置の更なる特徴構成は、前記負荷熱交換器として、暖房負荷用の第１負荷熱交換器と追焚負荷用の第２負荷熱交換器とが並列状態で備えられている点にある。
【００５２】
本特徴構成によれば、第１負荷熱交換器と第２負荷熱交換器が並列状態で備えられているので、第１負荷熱交換器と第２負荷熱交換器の何れか一方側のみに水を通流させることができる。したがって、第１負荷熱交換器と第２負荷熱交換器の何れか一方側のみ熱負荷が要求されている場合には、他方側の負荷熱交換器への水の通流を防止することができる。よって、他方側の負荷熱交換器での放熱を防止することができ、放熱量を極力抑えながら、負荷熱交換器への熱の供給を行うことができ、エネルギー効率の向上を図ることができる。
【００５３】
本発明に係る熱媒供給装置の更なる特徴構成は、前記第２水路により前記バーナー加熱式熱交換器にて加熱した水を前記負荷熱交換器に供給するバーナー加熱状態と前記第３水路により前記ヒートポンプ加熱式熱交換器にて加熱した水を前記負荷熱交換器に供給するヒートポンプ加熱状態に切換自在で、且つ、前記負荷熱交換器で要求されている熱負荷に対して、前記バーナー加熱状態に切り換えた場合と前記ヒートポンプ加熱状態に切り換えた場合との１次エネルギー消費量が小さい方を選択して切り換える切換手段が備えられている点にある。
【００５４】
本特徴構成によれば、切換手段が、バーナー加熱状態とヒートポンプ加熱状態とで１次エネルギー消費量が小さい方に切り換えて、負荷熱交換器への熱供給を行うことができるので、負荷熱交換器に熱供給を行うに当たり、水を加熱するために必要となる１次エネルギー消費量をより小さく抑えることができ、省エネ性の向上を効果的に図ることができる。
【００５５】
本発明に係る熱媒供給装置の更なる特徴構成は、前記循環ポンプの圧力で前記給湯タンクと前記ヒートポンプ加熱式熱交換器を経由して水が循環する第４水路を備え、その第４水路によって、前記給湯タンクから取り出した水を前記ヒートポンプ加熱式熱交換器にて加熱し、その加熱された水を前記給湯タンクに戻すように水を循環自在に構成されている点にある。
【００５６】
本特徴構成によれば、第４水路によって、循環ポンプの圧力によって、給湯タンクから取り出した水をヒートポンプ加熱式熱交換器にて加熱し、その加熱された水を給湯タンクに戻すことができるので、ヒートポンプ加熱式熱交換器にて水を加熱して温水とし、その温水を給湯タンクに貯湯することができる。したがって、ヒートポンプ装置により外気等から取得した熱を給湯タンクに蓄熱することができる。そして、給湯タンクの水は、第１水路等により給湯タンクから取り出されて給湯利用箇所に供給されるので、給湯タンクに蓄熱した熱を有効に活用することができ、エネルギー効率の向上を図ることができる。
【００５７】
本発明に係る熱媒供給装置の更なる特徴構成は、前記給湯タンクに接続されて上水を前記給湯タンクに給水する第１流路部位と、前記給湯タンクと前記バーナー加熱式熱交換器を接続する第２流路部位と、前記負荷熱交換器と前記ヒートポンプ加熱式熱交換器を接続する第５流路部位と、前記ヒートポンプ加熱式熱交換器と前記第２流路部位の途中部位を接続して前記循環ポンプが設けられた第６流路部位と、前記第１流路部位の途中部位と前記第５流路部位の途中部位とを接続する第８流路部位とが備えられ、前記第４水路は、前記給湯タンクと前記第１流路部位の一部と前記第８流路部位と前記５流路部位の一部と前記ヒートポンプ加熱式熱交換器と前記第６流路部位と前記第２流路部位の一部とから構成されている点にある。
【００５８】
本特徴構成によれば、第１流路部位、第２流路部位、第５流路部位、第６流路部位、及び、第８流路部位を組み合わせて第４水路を適切に構成することができる。そして、上述の如く、第１流路部位、第２流路部位、第５流路部位、第６流路部位、及び、第８流路部位は、第１水路、第２水路や第３水路を構成するためにも用いられている。したがって、第１水路、第２水路、第３水路、及び、第４水路の間で、共通な流路部位を備えながら、開閉弁や比例弁を適宜切り換えることで、各水路を適切に構成することができるとともに、開閉弁や比例弁の数を極力少なくして、部材点数の増加を適切に防止して構成の簡素化を図ることができる。
【００５９】
本発明に係る熱媒供給装置の更なる特徴構成は、前記第２水路と前記第４水路が、前記給湯タンクから取り出した水を前記バーナー加熱式熱交換器にて加熱し、その加熱された水を前記給湯タンクに戻すように水を循環自在に構成されている点にある。
【００６０】
本特徴構成によれば、給湯タンクから取り出した水をバーナー加熱式熱交換器にて加熱し、その加熱された水を給湯タンクに戻すことができるので、バーナー加熱式熱交換器を熱源として給湯タンクの水を加熱することができる。したがって、給湯タンクは、水を貯留しているので、レジオネラ菌等が繁殖する可能性があるが、給湯タンクの水を高温として殺菌消毒することができるので、レジオネラ菌等の繁殖を適切に防止することができる。
【００６１】
本発明に係る熱媒供給装置の更なる特徴構成は、前記給湯タンクから取り出した水を太陽熱にて加熱し、その加熱された水を前記給湯タンクに戻す太陽熱加熱水路が備えられている点にある。
【００６２】
本特徴構成によれば、給湯タンクから取り出した水を太陽熱にて加熱し、その加熱された水を給湯タンクに戻すことができるので、太陽熱を給湯タンクに蓄熱することができる。そして、給湯タンクに蓄熱された熱を給湯利用箇所に供給することができるので、高効率な太陽熱をも利用して給湯利用箇所への給湯を行うことができ、省エネ性の向上を図ることができる。
【００６３】
本発明に係る熱媒供給装置の更なる特徴構成は、熱と電力とを発生する熱電併給装置を備え、前記給湯タンクから取り出した水を前記熱電併給装置にて発生した排熱にて加熱し、その加熱された水を前記給湯タンクに戻す排熱加熱水路が備えられている点にある。
【００６４】
本特徴構成によれば、給湯タンクから取り出した水を熱電併給装置にて発生した排熱にて加熱し、その加熱された水を給湯タンクに戻すことができるので、熱電併給装置の排熱を給湯タンクに蓄熱することができる。そして、給湯タンクに蓄熱された熱を給湯利用箇所に供給することができるので、高効率な熱電併給装置の排熱をも利用して給湯利用箇所への給湯を行うことができ、省エネ性の向上を図ることができる。
【００６５】
本発明に係る熱媒供給装置の更なる特徴構成は、前記ヒートポンプ装置は、前記熱電併給装置が発生する電力のうち、電力供給部にて消費されない余剰電力の少なくとも一部の供給により作動自在に構成されている点にある。
【００６６】
熱電併給装置が発生する電力を電力供給部（例えば照明やテレビ等の電力消費機器）に供給することで、その電力供給部での電力消費を行うことができるのであるが、電力供給部にて要求している電力量よりも多くの電力量を熱電併給装置にて発生すると、電力供給部にて消費されない余剰電力が発生する。そこで、本特徴構成によれば、その余剰電力の少なくとも一部をヒートポンプ装置の駆動用電力として供給してヒートポンプ装置を作動自在としているので、余剰電力を熱に変換してその熱を負荷熱交換器に供給或いは給湯タンクに蓄熱することができ、余剰電力を有効に活用することができる。しかも、例えば、熱電併給装置がエンジンとそのエンジンにて駆動される発電機とを組み合わせたものであると、余剰電力が発生すると、その余剰電力を電気ヒータに供給していたが、そのような効率の低い熱交換を行うこともない。また、例えば、熱電併給装置が燃料電池装置であると、余剰電力が発生すると、燃料電池装置を部分負荷運転させるので、燃料電池装置の運転効率が低下する可能性があるが、上述の如く、余剰電力を有効に活用できれば、燃料電池装置を部分負荷運転させる必要がなく、運転効率の低下を防止することができる。
【００６７】
本発明に係る熱媒供給装置の更なる特徴構成は、前記循環ポンプの圧力で前記給湯タンクと前記ヒートポンプ加熱式熱交換器を経由して水が循環する第４水路を備え、その第４水路によって、前記給湯タンクから取り出した水を前記ヒートポンプ加熱式熱交換器にて加熱し、その加熱された水を前記給湯タンクに戻すように水を循環自在に構成され、前記太陽熱加熱水路と前記排熱加熱水路の少なくとも一方が、前記第４水路と兼用となっている点にある。
【００６８】
本特徴構成によれば、太陽熱加熱水路と排熱加熱水路の少なくとも一方を、第４水路と兼用としているので、太陽熱加熱水路と排熱加熱水路の少なくとも一方は、第４水路と共通の流路部位としながら、太陽熱や熱電併給装置の排熱を給湯タンクに蓄熱することができる。
【００６９】
本発明に係る熱媒供給装置の更なる特徴構成は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、少なくとも前記バーナー加熱式熱交換器をバイパスして前記循環ポンプの圧力を使わずに上水の圧力で前記給湯タンクから取り出した水を前記給湯利用箇所に直接供給する第１バイパス水路と、前記循環ポンプの圧力で前記バーナー加熱式熱交換器と前記負荷熱交換器と前記ヒートポンプ加熱式熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている点にある。
【００７０】
本特徴構成によれば、第１水路が、給湯タンクに給湯設定温度より温度が低い水が貯留されているときでも、給湯タンクに貯留されている水をバーナー加熱式熱交換器にて加熱して温水とし、その温水を給湯利用箇所に供給することができる。また、給湯タンクに給湯設定温度と同様又はそれよりも高温の水が貯留されていると、第１バイパス水路は、第２水路の循環温度に影響を受けることなく、少なくともバーナー加熱式熱交換器をバイパスして循環ポンプの圧力を使わずに上水の圧力で給湯タンクから取り出した水を給湯利用箇所に直接供給することができる。更に、第２水路又は第３水路が、同一の循環ポンプの圧力で、給湯タンクを介さずに、バーナー加熱式熱交換器又はヒートポンプ加熱式熱交換器にて加熱した水を負荷熱交換器に供給することができる。
そして、第１水路と第２水路の間では、バーナー加熱式熱交換器を含む水路が少なくとも共通であり、第２水路と第３水路は、循環ポンプと負荷熱交換器とヒートポンプ加熱式熱交換器を含む水路が少なくとも共通であるので、１つの流路部位を各水路にて共通のものとして利用でき、流路部位の数を少なくすることができるとともに、循環ポンプ、バーナー加熱式熱交換器、及び、ヒートポンプ加熱式熱交換器の夫々を１つずつ設けるだけでよい。したがって、配管が簡易でシンプルなものであり、熱交換器として構造が複雑な三流体熱交換器等の構造を採用する必要がなく、循環ポンプや熱交換器の数を極力少なくして、構成の簡素化及びコストの低減を図ることができるとともに、給湯タンクに給湯設定温度と同様又はそれよりも高温の水が貯留されていると、第１バイパス水路により、第２水路の循環温度に影響を受けることなく、給湯タンクの水を有効に利用することができ、エネルギー効率の向上をも図ることができる熱媒供給装置を実現できる。
【００７１】
本発明に係る熱媒供給装置の更なる特徴構成は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器を経由して水が循環する第２バイパス水路と、前記循環ポンプの圧力で前記ヒートポンプ加熱式熱交換器と前記負荷熱交換器を経由して水が循環する第３水路とを備え、前記第１水路と前記第２バイパス水路は、前記バーナー加熱式熱交換器を含む水路が少なくとも共通に構成され、前記第２バイパス水路と前記第３水路は、前記循環ポンプと前記負荷熱交換器を含む水路が少なくとも共通に構成されている点にある。
【００７２】
本特徴構成によれば、第１水路が、給湯タンクに給湯設定温度より温度が低い水が貯留されているときでも、給湯タンクに貯留されている水をバーナー加熱式熱交換器にて加熱して温水とし、その温水を給湯利用箇所に供給することができる。また、第２バイパス水路は、循環ポンプの圧力で、給湯タンク及びヒートポンプ加熱式熱交換器を介さずに、ヒートポンプ加熱式熱交換器を水が通過することによる放熱を防止しながら、バーナー加熱式熱交換器にて加熱した水を負荷熱交換器に供給することができる。更に、第３水路は、第２バイパス水路と同一の循環ポンプの圧力で、給湯タンク及びバーナー加熱式熱交換器を介さずに、バーナー加熱式熱交換器を水が通過することによる放熱を防止しながら、ヒートポンプ加熱式熱交換器にて加熱した水を負荷熱交換器に供給することができる。
【００７３】
そして、第１水路と第２バイパス水路の間では、バーナー加熱式熱交換器を含む水路が少なくとも共通であり、第２バイパス水路と第３水路は、循環ポンプと負荷熱交換器を含む水路が少なくとも共通であるので、１つの流路部位を各水路にて共通のものとして利用でき、流路部位の数を少なくすることができるとともに、循環ポンプ、バーナー加熱式熱交換器、及び、ヒートポンプ加熱式熱交換器の夫々を１つずつ設けるだけでよい。したがって、配管が簡易でシンプルなものであり、熱交換器として構造が複雑な三流体熱交換器等の構造を採用する必要がなく、循環ポンプや熱交換器の数を極力少なくして、構成の簡素化及びコストの低減を図ることができるとともに、第２バイパス水路や第３水路にて他の熱交換器を通過することによる放熱を防止しながら、バーナー加熱式熱交換器やヒートポンプ加熱式熱交換器にて加熱された水を負荷熱交換器に循環供給することができ、エネルギー効率の向上をも図ることができる熱媒供給装置を実現できる。
【００７４】
本発明に係る熱媒供給装置の更なる特徴構成は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、熱電併給装置にて発生した排熱により水を加熱する排熱熱交換器と、暖房負荷と追焚負荷の少なくとも一方で熱を消費する負荷熱交換器と、少なくとも上水の圧力で前記給湯タンクから取り出した水を前記バーナー加熱式熱交換器を経由して前記給湯利用箇所に供給する第１水路と、前記循環ポンプの圧力で前記バーナー加熱式熱交換器と前記負荷熱交換器と前記ヒートポンプ加熱式熱交換器と前記排熱熱交換器を経由して水が循環する第２水路と、前記循環ポンプの圧力で前記ヒートポンプ加熱式熱交換器と前記負荷熱交換器を経由して水が循環する第３水路とを備え、前記第１水路と前記第２水路は、前記バーナー加熱式熱交換器を含む水路が少なくとも共通に構成され、前記第２水路と前記第３水路は、前記循環ポンプと前記負荷熱交換器と前記ヒートポンプ加熱式熱交換器を含む水路が少なくとも共通に構成されている点にある。
【００７５】
本特徴構成によれば、第１水路が、給湯タンクに給湯設定温度より温度が低い水が貯留されているときでも、給湯タンクに貯留されている水をバーナー加熱式熱交換器にて加熱して温水とし、その温水を給湯利用箇所に供給することができる。そして、第２水路が、循環ポンプの圧力で、給湯タンクを介さずに、排熱熱交換器及びバーナー加熱式熱交換器にて加熱した水を負荷熱交換器に供給することができる。したがって、第２水路では、バーナー加熱式熱交換器に加え、排熱熱交換器にて加熱した水を負荷熱交換器に供給するので、熱電併給装置にて発生した排熱をも負荷熱交換器に供給することができる。また、第３水路が、第２水路と同一の循環ポンプの圧力で、給湯タンクを介さずに、ヒートポンプ加熱式熱交換器にて加熱した水を負荷熱交換器に供給することができる。
【００７６】
そして、第１水路と第２水路は、バーナー加熱式熱交換器を含む水路が少なくとも共通であり、第２水路と第３水路は、循環ポンプと負荷熱交換器とヒートポンプ加熱式熱交換器を含む水路が少なくとも共通であるので、１つの流路部位を各水路にて共通のものとして利用でき、流路部位の数を少なくすることができるとともに、循環ポンプ、バーナー加熱式熱交換器、及び、ヒートポンプ加熱式熱交換器の夫々を１つずつ設けるだけでよい。したがって、配管が簡易でシンプルなものであり、熱交換器として構造が複雑な三流体熱交換器等の構造を採用する必要がなく、循環ポンプや熱交換器の数を極力少なくして、構成の簡素化及びコストの低減を図ることができるとともに、第２水路にて熱電併給装置の排熱をも負荷熱交換器に供給することができ、省エネ性の向上をも図ることができる熱媒供給装置を実現できる。
【図面の簡単な説明】
【００７７】
【図１】本発明に係る熱媒供給装置における蓄熱運転を示す図
【図２】本発明に係る熱媒供給装置における給湯運転を示す図
【図３】本発明に係る熱媒供給装置におけるバーナー加熱状態での暖房運転を示す図
【図４】本発明に係る熱媒供給装置におけるヒートポンプ加熱状態での暖房運転を示す図
【図５】本発明に係る熱媒供給装置における蓄熱運転＋バーナー加熱状態での暖房運転を示す図
【図６】本発明に係る熱媒供給装置における蓄熱運転＋ヒートポンプ加熱状態での暖房運転を示す図
【図７】本発明に係る熱媒供給装置における給湯運転＋バーナー加熱状態での暖房運転を示す図
【図８】本発明に係る熱媒供給装置における給湯運転＋ヒートポンプ加熱状態での暖房運転を示す図
【図９】本発明に係る熱媒供給装置における殺菌運転を示す図
【図１０】第２実施形態の熱媒供給装置における給湯運転を示す図
【図１１】第３実施形態の熱媒供給装置の概略構成を示す図
【図１２】第４実施形態の熱媒供給装置の概略構成を示す図
【図１３】第５実施形態の熱媒供給装置の概略構成を示す図
【図１４】第６実施形態の熱媒供給装置における給湯運転を示す図
【図１５】第７実施形態の熱媒供給装置における給湯運転＋バーナー加熱状態での暖房運転を示す図
【図１６】第８実施形態の熱媒供給装置の概略構成を示す図
【図１７】第９実施形態の熱媒供給装置におけるバーナー加熱状態での暖房運転を示す図
【図１８】第１０実施形態の熱媒供給装置の概略構成を示す図
【図１９】第１１実施形態の熱媒供給装置の概略構成を示す図
【発明を実施するための形態】
【００７８】
本発明に係る熱媒供給装置の実施形態について、図面に基づいて説明する。
〔第１実施形態〕
この熱媒供給装置は、図１〜図４に示すように、給湯利用箇所１（例えば給湯栓）に供給する水を貯留する給湯タンク２と、水路の水を循環させる循環ポンプ３と、ヒートポンプ装置４により水を加熱するヒートポンプ加熱式熱交換器５と、バーナー燃焼装置により水を加熱するバーナー加熱式熱交換器６と、暖房負荷と追焚負荷の少なくとも一方で熱を消費する負荷熱交換器７とを備えている。ここで、図１〜図４は、本発明に係る熱媒供給装置の概略構成を示すものであり、同一の概略構成を示しているが、水や熱媒が通流する部位が異なるので、その水や熱媒が通流する部位を太線にて示している。
【００７９】
給湯タンク２は、例えば、密閉型のタンクにて構成されており、温度が高い水（温水）は上方側に且つ温度が低い水は下方側に温度成層を形成する状態で水を貯留自在に構成されている。ヒートポンプ装置４は、圧縮機８、凝縮器としてのヒートポンプ加熱式熱交換器５、膨張弁９、蒸発器１０の順に媒体（冷媒）を循環させる媒体回路１１を備えた圧縮式ヒートポンプ装置にて構成されている。これにより、ヒートポンプ装置４の媒体（冷媒）は、蒸発器１０において外気等から熱を取得し、ヒートポンプ加熱式熱交換器５は、ヒートポンプ装置４の媒体（冷媒）が外気等から取得した熱により水を加熱自在に構成されている。バーナー加熱式熱交換器６は、図示は省略するが、例えば、ガス燃料等を燃焼させるバーナー燃焼装置にて発生する熱にて水を加熱自在に構成されている。
【００８０】
負荷熱交換器７として、暖房負荷用の第１負荷熱交換器７ａと追焚負荷用の第２負荷熱交換器７ｂとが設けられ、第１負荷熱交換器７ａと第２負荷熱交換器７ｂとが並列状態で設けられている。そして、第１負荷熱交換器７ａと暖房負荷としての暖房端末１２との間で熱媒を循環自在な第１熱媒循環路１３が設けられ、その第１熱媒循環路１３には、熱媒を貯留自在な大気開放型の熱媒タンク１４、第１熱媒循環ポンプ１５が設けられている。これにより、第１熱媒循環路１３は、第１熱媒循環ポンプ１５の圧力で第１負荷熱交換器７ａと暖房端末１２を経由して熱媒を循環させるように構成されている。ここで、図示は省略するが、暖房端末１２としては、要求される熱負荷が高い高温暖房端末（例えば浴室乾燥装置）や高温暖房端末よりも要求される熱負荷が低い低温暖房端末（例えば床暖房装置）が適応可能であり、高温暖房端末と低温暖房端末とを並列状態で備えることができる。また、第２負荷熱交換器７ｂと追焚負荷としての浴槽１６との間で熱媒（浴槽水）を循環自在な第２熱媒循環路１７が設けられ、その第２熱媒循環路１７には、第２熱媒循環ポンプ１８が設けられている。これにより、第２熱媒循環路１７は、第２熱媒循環ポンプ１８の圧力で第２負荷熱交換器７ｂと浴槽１６を経由して熱媒（浴槽水）を循環させるように構成されている。
【００８１】
本発明に係る熱媒供給装置では、水を通流させる水路として、第１水路Ｗ１（図２参照）、第２水路Ｗ２（図３参照）、第３水路Ｗ３（図４参照）、第４水路Ｗ４（図１参照）の４つの水路を備えている。第１水路Ｗ１は、図２に示すように、上水の圧力で給湯タンク２から取り出した水をバーナー加熱式熱交換器６を経由して給湯利用箇所１に供給するように構成されている。第２水路Ｗ２は、図３に示すように、循環ポンプ３の圧力でバーナー加熱式熱交換器６と負荷熱交換器７とヒートポンプ加熱式熱交換器５を経由して水が循環するように構成されている。第３水路Ｗ３は、図４に示すように、循環ポンプ３の圧力でヒートポンプ加熱式熱交換器５と負荷熱交換器７を経由して水が循環するように構成されている。第４水路Ｗ４は、図１に示すように、循環ポンプ３の圧力で給湯タンク２から取り出した水をヒートポンプ加熱式熱交換器５を経由して給湯タンク２に戻すように構成されている。
【００８２】
このように、本発明に係る熱媒供給装置は、第１〜第４水路Ｗ１〜Ｗ４の４つの水路を備えているが、各水路は、複数の流路部位を組み合わせて構成されているので、各流路部位について説明する。
つまり、本発明に係る熱媒供給装置では、流路部位として、第１流路部位Ｒ１、第２流路部位Ｒ２、第３流路部位Ｒ３、第４流路部位Ｒ４、第５流路部位Ｒ５、第６流路部位Ｒ６、第７流路部位Ｒ７、第８流路部位Ｒ８の８つの流路部位が備えられている。
【００８３】
図１〜図４に示すように、第１流路部位Ｒ１は、給湯タンク２の下部に接続されて上水を給湯タンク２に給水するように構成されている。第２流路部位Ｒ２は、給湯タンク２の上部とバーナー加熱式熱交換器６を接続するように構成されている。第３流路部位Ｒ３は、バーナー加熱式熱交換器６と給湯利用箇所１を接続するように構成されている。第４流路部位Ｒ４は、第３流路部位の途中部位と負荷熱交換器７を接続するように構成され、その途中部位に第１開閉弁Ｋ１が設けられている。そして、上述の如く、負荷熱交換器７として、第１負荷熱交換器７ａと第２負荷熱交換器７ｂとの２つの負荷熱交換器が備えられており、第１負荷熱交換器７ａと第２負荷熱交換器７ｂとが並列状態で設けられているので、第４流路部位Ｒ４において第１開閉弁Ｋ１よりも水の通流方向の下流側部位が２つの分岐流路部位に分岐されており、一方の分岐流路部位が第１負荷熱交換器７ａに接続され、他方の分岐流路部位が第２負荷熱交換器７ｂに接続されている。また、２つの分岐流路部位の分岐箇所には、第２三方弁Ｓ２が設けられており、第１負荷熱交換器７ａと第２負荷熱交換器７ｂに供給する水量を調整自在に構成されている。第５流路部位Ｒ５は、負荷熱交換器７とヒートポンプ加熱式熱交換器５を接続するように構成されている。上述の如く、第１負荷熱交換器７ａと第２負荷熱交換器７ｂとが並列状態で設けられているので、第５流路部位Ｒ５は、第１負荷熱交換器７ａと第２負荷熱交換器７ｂとに各別に接続された２つの分岐流路部位が１つの流路部位に合流してヒートポンプ加熱式熱交換器５に接続されている。第６流路部位Ｒ６は、ヒートポンプ加熱式熱交換器５と第２流路部位Ｒ２の途中部位を接続するように構成され、その途中部位に循環ポンプ３が設けられている。第７流路部位Ｒ７は、第６流路部位Ｒ６における循環ポンプ３と第２流路部位Ｒ２への接続箇所までの間の部位及び第４流路部位Ｒ４における第１開閉弁Ｋ１と負荷熱交換器７の間の部位を接続するように構成され、その途中部位に第２開閉弁Ｋ２が設けられている。第８流路部位Ｒ８は、第１流路部位Ｒ１の途中部位と第５流路部位Ｒ５の途中部位（２つの分岐流路部位が１つの流路部位に合流する箇所よりも水の通流方向で下流側部位）とを接続するように構成され、その第５流路部位Ｒ５との接続箇所である第５流路部位Ｒ５の途中部位に第１三方弁Ｓ１が設けられている。
【００８４】
第１水路Ｗ１は、図２に示すように、循環ポンプ３及びヒートポンプ加熱式熱交換器５を介さずに、第１流路部位Ｒ１と給湯タンク２と第２流路部位Ｒ２とバーナー加熱式熱交換器６と第３流路部位Ｒ３とから構成されている。第１流路部位Ｒ１は、給湯タンク２の下部に接続されており、第１流路部位Ｒ１にて給水される上水の圧力が給湯タンク２に作用している。そして、給湯タンク２の上部には、第２流路部位Ｒ２が接続され、その第２流路部位Ｒ２にバーナー加熱式熱交換器６を介して第３流路部位Ｒ３が接続されているので、第２流路部位Ｒ２及び第３流路部位Ｒ３にも上水の圧力が作用している。これにより、給湯利用箇所１にて給湯栓を開くことで、上水の圧力によって給湯タンク２の上部から第２流路部位Ｒ２に水が取り出され、その取り出された水がバーナー加熱式熱交換器６及び第３流路部位Ｒ３を経由して給湯利用箇所１に供給される。
【００８５】
第２水路Ｗ２は、図３に示すように、バーナー加熱式熱交換器６と第３流路部位の一部（バーナー加熱式熱交換器６との接続箇所から第４流路部位Ｒ４との接続箇所までの間の部位）と第４流路部位Ｒ４と負荷熱交換器７と第５流路部位Ｒ５とヒートポンプ加熱式熱交換器５と第６流路部位Ｒ６と第２流路部位Ｒ２の一部（第６流路部位Ｒ６との接続箇所からバーナー加熱式熱交換器６との接続箇所までの間の部位）とから構成されている。
【００８６】
第３水路Ｗ３は、図４に示すように、バーナー加熱式熱交換器６を介さずに、ヒートポンプ加熱式熱交換器５と第６流路部位Ｒ６の一部（ヒートポンプ加熱式熱交換器５との接続箇所から第７流路部位Ｒ７との接続箇所までの間の部位）と第７流路部位Ｒ７と第４流路部位Ｒ４の一部（第７流路部位Ｒ７との接続箇所から負荷熱交換器７との接続箇所までの間の部位）と負荷熱交換器７と第５流路部位Ｒ５とから構成されている。
【００８７】
第４水路Ｗ４は、図１に示すように、給湯タンク２と第１流路部位Ｒ１の一部（給湯タンク２との接続箇所から第８流路部位Ｒ８との接続箇所までの間の部位）と第８流路部位Ｒ８と第５流路部位Ｒ５の一部（第８流路部位Ｒ８との接続箇所からヒートポンプ加熱式熱交換器５との接続箇所までの間の部位）とヒートポンプ加熱式熱交換器５と第６流路部位Ｒ６と第２流路部位Ｒ２の一部（第６流路部位Ｒ６との接続箇所から給湯タンク２との接続箇所までの間の部位）とから構成されている。
【００８８】
本発明に係る熱媒供給装置は、第１水路Ｗ１と第２水路Ｗ２は、第２流路部位Ｒ２の一部、バーナー加熱式熱交換器６、及び、第３流路部位Ｒ３の一部（図２及び図３の双方で太線にて示した部位）が共通であり、バーナー加熱式熱交換器６を含む水路が少なくとも共通に構成されている。第２水路Ｗ２と第３水路Ｗ３は、第４流路部位Ｒ４の一部、負荷熱交換器７、第５流路部位Ｒ５の全て、ヒートポンプ加熱式熱交換器５、第６流路部位Ｒ６の一部、及び、循環ポンプ３（図３及び図４の双方で太線にて示した部位）が共通であり、循環ポンプ３と負荷熱交換器７とヒートポンプ加熱式熱交換器５を含む水路が少なくとも共通に構成されている。第１水路Ｗ１と第４水路Ｗ４は、第１流路部位Ｒ１の一部、給湯タンク２、及び、第２流路部位Ｒ２の一部（図１及び図２の双方で太線にて示した部位）が共通に構成されている。第２水路Ｗ２と第４水路Ｗ４は、第５流路部位Ｒ５の一部、ヒートポンプ加熱式熱交換器５、第６流路部位Ｒ６の全て、及び、循環ポンプ３（図１及び図３の双方で太線にて示した部位）が共通に構成されている。第３水路Ｗ３と第４水路Ｗ４は、第５流路部位Ｒ５の一部、ヒートポンプ加熱式熱交換器５、第６流路部位Ｒ６の一部、及び、循環ポンプ３（図１及び図４の双方で太線にて示した部位）が共通に構成されている。このように、本発明に係る熱媒供給装置では、第１水路Ｗ１と第２水路Ｗ２と第３水路Ｗ３と第４水路Ｗ４の間で共通の流路部位があり、配管が簡易でシンプルなものとなる。そして、熱交換器として構造が複雑な三流体熱交換器等の構造を採用することなく、単一の循環ポンプ３、単一のヒートポンプ加熱式熱交換器５、単一のバーナー加熱式熱交換器６を備えるだけでよく、循環ポンプや熱交換器の数を極力少なくして、構成の簡素化及びコストの低減を図ることができる。
【００８９】
しかも、本発明に係る熱媒供給装置では、第１水路Ｗ１と第３水路Ｗ３は、共通する流路部位がなく、独立して水を通流させるように構成されている。つまり、第１水路Ｗ１は、循環ポンプ３の圧力の影響を受けることなく、ヒートポンプ加熱式熱交換器５を介さずに、上水の圧力によって給湯タンク２の水をバーナー加熱式熱交換器６を経由して給湯利用箇所１に供給することができるとともに、第３水路Ｗ３は、上水の圧力の影響をうけることなく、バーナー加熱式熱交換器６を介さずに、循環ポンプ３の圧力によってヒートポンプ加熱式熱交換器５と負荷熱交換器７を経由して水を循環させることができる。これにより、図８に示すように、第１水路Ｗ１にて給湯タンク２から取り出した水を給湯利用箇所１に供給することと、第３水路Ｗ３にてヒートポンプ加熱式熱交換器５にて加熱した水を負荷熱交換器７に供給して暖房端末１２での暖房や浴槽１６の浴槽水の追焚を行うことを、お互いに干渉することなく同時に行うことができる。
【００９０】
この熱媒供給装置の運転を制御するコンピュータを備えた制御部１９が設けられており、この制御部１９は、熱媒供給装置の運転を指令する人為操作式の熱媒供給装置用リモコン（図示は省略する）との間で各種の情報を通信可能に構成されている。熱媒供給装置用リモコンは、例えば、台所や浴室等の夫々に設けられており、給湯設定温度等を設定可能であるとともに、各種スイッチのＯＮ操作により各種運転の運転要求を要求可能に構成されている。また、制御部１９は、暖房端末１２の運転を指令する人為操作式の暖房端末用リモコンとの間で各種の情報を通信可能に構成されている。
【００９１】
制御部１９は、熱媒供給装置用リモコンの運転スイッチがＯＮ操作されると制御可能な状態となり、給湯利用箇所１の給湯栓が開操作されると、給湯利用箇所１に給湯する給湯運転を実行する。そして、制御部１９は、例えば、給湯タンク２に貯留されている温水量が設定量以下になる、或いは、給湯利用箇所１に給湯する給湯時間帯よりも設定時間手前の蓄熱時間帯になる等の蓄熱条件が満たされると、蓄熱運転の運転要求があったとして、給湯タンク２に蓄熱する蓄熱運転を実行する。また、制御部１９は、暖房端末用リモコンの暖房運転スイッチがＯＮ操作されて暖房端末１２から運転要求が要求されると暖房運転を実行し、追焚スイッチがＯＮ操作されて追焚要求が要求されると追焚運転を実行する。
【００９２】
（蓄熱運転）
制御部１９は、図１に示すように、循環ポンプ３及びヒートポンプ装置４を作動させるとともに、第８流路部位Ｒ８からの水を第５流路部位Ｒ５にてヒートポンプ加熱式熱交換器５に供給する状態に第１三方弁Ｓ１を切り換えている。これにより、第４水路Ｗ４によって、循環ポンプ３の圧力で、給湯タンク２の下部から水を第１流路部位Ｒ１に取り出し、その取り出した水を第８流路部位Ｒ８、第１三方弁Ｓ１及び第５流路部位Ｒ５を通してヒートポンプ加熱式熱交換器５に供給して加熱し、その加熱された水を第６流路部位Ｒ６及び第２流路部位Ｒ２を通して給湯タンク２の上部に戻している。このようにして、給湯タンク２から取り出された水がヒートポンプ加熱式熱交換器５にて加熱されて温水となり、その温水が給湯タンク２に戻されて、給湯タンク２に蓄熱している。
【００９３】
（給湯運転）
この給湯運転では、図２に示すように、第１水路Ｗ１により、上水の圧力で、給湯タンク２の上部から水を第２流路部位Ｒ２に取り出し、その取り出した温水をバーナー加熱式熱交換器６を経由して第３流路部位Ｒ３にて給湯利用箇所１に供給している。そして、給湯利用箇所１に供給される水の温度が給湯利用箇所１にて要求されている温度よりも低い場合には、制御部１９が、バーナー燃焼装置による燃焼を開始させ、給湯タンク２から取り出した水をバーナー加熱式熱交換器６にて加熱し、その加熱後の水の温度が給湯利用箇所１にて要求されている温度となるように、バーナー燃焼装置による燃焼量を調整している。また、図示は省略しているが、給湯利用箇所１に供給される水の温度が給湯利用箇所１にて要求されている温度よりも高い場合には、制御部１９が、第３流路部位Ｒ３の第４流路部位Ｒ４との接続箇所と給湯利用箇所１の間に設置した、上水との混合を行う三方弁を作動させ、その混合後の水の温度が給湯利用箇所１にて要求されている温度となるように、三方弁による上水との混合量を調整している。
【００９４】
（暖房運転）
制御部１９は、第１開閉弁Ｋ１及び第２開閉弁Ｋ２の開閉動作を制御することで、第２水路Ｗ２にてバーナー加熱式熱交換器６にて加熱した水を第１負荷熱交換器７ａに供給するバーナー加熱状態（図３参照）と第３水路Ｗ３にてヒートポンプ加熱式熱交換器５にて加熱した水を第１負荷熱交換器７ａに供給するヒートポンプ加熱状態（図４参照）とに切換自在に構成されている。そして、暖房運転を行うに当たり、制御部１９は、第１負荷熱交換器７ａで要求されている熱負荷に対して、バーナー加熱状態に切り換えた場合とヒートポンプ加熱状態に切り換えた場合との夫々の１次エネルギー消費量を求め、その求めた１次エネルギー消費量が小さい方に切り換えている。
【００９５】
バーナー加熱状態に切り換えた場合の１次エネルギー消費量の求め方については、第１負荷熱交換器７ａで要求されている熱負荷を変換効率にて除算することにより、その熱負荷を賄うためのガス需要を求める。ここで、変換効率は、バーナー加熱状態に切り換えてバーナー加熱式熱交換器６にて水を加熱したときの変換効率を用いる。そして、求めたガス需要を所定の換算値を用いて１次エネルギー消費量に換算している。
ヒートポンプ加熱状態に切り換えた場合の１次エネルギー消費量の求め方については、第１負荷熱交換器７ａで要求されている熱負荷をＣＯＰ（成績係数）にて除算することにより、その熱負荷を賄うための電気需要を求める。ここで、ＣＯＰは、ヒートポンプ加熱状態に切り換えてヒートポンプ加熱式熱交換器５にて水を加熱したときのＣＯＰを用いる。そして、求めた電気需要を所定の換算値を用いて１次エネルギー消費量に換算している。
【００９６】
図３に示すように、バーナー加熱状態に切り換える場合には、制御部１９が、第１開閉弁Ｋ１を開き且つ第２開閉弁Ｋ２を閉じるとともに、第５流路部位Ｒ５からの水をそのままヒートポンプ加熱式熱交換器５に供給する状態に第１三方弁Ｓ１を切り換え且つ第４流路部位Ｒ４からの水を第１負荷熱交換器７ａに供給する状態に第２三方弁Ｓ２を切り換えて、循環ポンプ３を作動させる。そして、制御部１９は、バーナー燃焼装置の燃焼を開始するとともに、第１熱媒循環ポンプ１５を作動させて、第１熱媒循環路１３にて暖房端末１２と第１負荷熱交換器７ａの間で熱媒を循環させている。これにより、バーナー加熱式熱交換器６にて水が加熱されて温水となり、その温水が第３流路部位Ｒ３及び第４流路部位Ｒ４を通して第１負荷熱交換器７ａに供給されて第１熱媒循環路１３の熱媒を加熱し、その加熱された熱媒が第１熱媒循環路１３により暖房端末１２に供給され、その熱媒が有する熱が暖房端末１２での暖房に用いられる。
【００９７】
図４に示すように、ヒートポンプ加熱状態に切り換える場合には、制御部１９が、第１開閉弁Ｋ１を閉じ且つ第２開閉弁Ｋ２を開くとともに、第５流路部位Ｒ５からの水をそのままヒートポンプ加熱式熱交換器５に供給する状態に第１三方弁Ｓ１を切り換え且つ第４流路部位Ｒ４からの水を第１負荷熱交換器７ａに供給する状態に第２三方弁Ｓ２を切り換えて、循環ポンプ３を作動させる。そして、制御部１９は、ヒートポンプ装置４を作動させるとともに、第１熱媒循環ポンプ１５を作動させて、第１熱媒循環路１３にて暖房端末１２と第１負荷熱交換器７ａの間で熱媒を循環させている。これにより、ヒートポンプ加熱式熱交換器５にて水が加熱されて温水となり、その温水が第６流路部位Ｒ６、第７流路部位Ｒ７、第４流路部位Ｒ４を通して第１負荷熱交換器７ａに供給されて第１熱媒循環路１３の熱媒を加熱し、その加熱された熱媒が第１熱媒循環路１３にて暖房端末１２に供給され、その熱媒が有する熱が暖房端末１２での暖房に用いられる。
【００９８】
（追焚運転）
上述の暖房運転では、制御部１９が、第４流路部位Ｒ４からの水を第１負荷熱交換器７ａに供給する状態に第２三方弁Ｓ２を切り換えることで、水を第１負荷熱交換器７ａに供給しているが、この追焚運転では、制御部１９が、第４流路部位Ｒ４からの水を第２負荷熱交換器７ｂに供給する状態に第２三方弁Ｓ２を切り換えることで、水を第２負荷熱交換器７ｂに供給している点が暖房運転と異なるだけであるので、図示は省略して簡単に説明する。
【００９９】
制御部１９は、暖房運転と同様に、第１開閉弁Ｋ１及び第２開閉弁Ｋ２の開閉動作を制御することで、第２水路Ｗ２にてバーナー加熱式熱交換器６にて加熱した水を第２負荷熱交換器７ｂに供給するバーナー加熱状態と第３水路Ｗ３にてヒートポンプ加熱式熱交換器５にて加熱した水を第２負荷熱交換器７ｂに供給するヒートポンプ加熱状態とに切換自在に構成されている。そして、追焚運転を行うに当たり、制御部１９は、第２負荷熱交換器７ｂで要求されている熱負荷に対して、バーナー加熱状態に切り換えた場合とヒートポンプ加熱状態に切り換えた場合との夫々の１次エネルギー消費量を求め、その求めた１次エネルギー消費量が小さい方に切り換えている。
【０１００】
上述の如く、本発明に係る熱媒供給装置は、蓄熱運転、給湯運転、バーナー加熱状態での暖房運転、ヒートポンプ加熱状態での暖房運転、バーナー加熱状態での追焚運転、ヒートポンプ加熱状態での追焚運転の各運転を単独で行うことが可能であるが、２つの運転を同時に行うことも可能である。
【０１０１】
蓄熱運転とバーナー加熱状態での暖房運転とを同時に行う場合には、図５に示すように、制御部１９は、ヒートポンプ装置４及び循環ポンプ３を作動させるとともに、第１開閉弁Ｋ１を開き、第２開閉弁Ｋ２を閉じ、第５流路部位Ｒ５からの水と第８流路部位Ｒ８からの水とを合流させて第５流路部位Ｒ５にてヒートポンプ加熱式熱交換器５に供給する状態に第１三方弁Ｓ１を切り換え、第４流路部位Ｒ４からの水を第１負荷熱交換器７ａに供給する状態に第２三方弁Ｓ２を切り換えて、バーナー燃焼装置の燃焼を開始してバーナー加熱式熱交換器６にて水を加熱する。
【０１０２】
蓄熱運転とヒートポンプ加熱状態での暖房運転とを同時に行う場合には、図６に示すように、制御部１９は、ヒートポンプ装置４及び循環ポンプ３を作動させるとともに、第１開閉弁Ｋ１を閉じ、第２開閉弁Ｋ２を開き、第５流路部位Ｒ５からの水と第８流路部位Ｒ８からの水とを合流させて第５流路部位Ｒ５にてヒートポンプ加熱式熱交換器５に供給する状態に第１三方弁Ｓ１を切り換え、第４流路部位Ｒ４からの水を第１負荷熱交換器７ａに供給する状態に第２三方弁Ｓ２を切り換えている。
【０１０３】
蓄熱運転とバーナー加熱状態での追焚運転とを同時に行う場合は、図５に示す蓄熱運転とバーナー加熱状態での暖房運転とを同時に行う場合に対して、バーナー加熱式熱交換器６にて加熱した水を第２負荷熱交換器７ｂに供給する点が異なるだけである。また、蓄熱運転とヒートポンプ加熱状態での追焚運転とを同時に行う場合も、図６に示す蓄熱運転とヒートポンプ加熱状態での暖房運転とを同時に行う場合に対して、ヒートポンプ加熱式熱交換器５にて加熱した水を第２負荷熱交換器７ｂに供給する点が異なるだけである。
【０１０４】
給湯運転とバーナー加熱状態での暖房運転とを同時に行う場合には、図７に示すように、制御部１９は、循環ポンプ３を作動させるとともに、第１開閉弁Ｋ１を開き、第２開閉弁Ｋ２を閉じ、第５流路部位Ｒ５の水をそのまま第５流路部位Ｒ５にてヒートポンプ加熱式熱交換器５に供給する状態に第１三方弁Ｓ１を切り換え、バーナー燃焼装置の燃焼を開始してバーナー加熱式熱交換器６にて水を加熱する。
【０１０５】
給湯運転とヒートポンプ加熱状態での暖房運転とを同時に行う場合には、図８に示すように、制御部１９は、ヒートポンプ装置４及び循環ポンプ３を作動させるとともに、第１開閉弁Ｋ１を閉じ、第２開閉弁Ｋ２を開き、第５流路部位Ｒ５の水をそのまま第５流路部位Ｒ５にてヒートポンプ加熱式熱交換器５に供給する状態に第１三方弁Ｓ１を切り換え、第４流路部位Ｒ４からの水を第１負荷熱交換器７ａに供給する状態に第２三方弁Ｓ２を切り換えている。
【０１０６】
給湯運転とバーナー加熱状態での追焚運転とを同時に行う場合は、図７に示す給湯運転とバーナー加熱状態での暖房運転とを同時に行う場合に対して、バーナー加熱式熱交換器６にて加熱した水を第２負荷熱交換器７ｂに供給する点が異なるだけである。また、給湯運転とヒートポンプ加熱状態での追焚運転とを同時に行う場合も、図８に示す給湯運転とヒートポンプ加熱状態での暖房運転とを同時に行う場合に対して、ヒートポンプ加熱式熱交換器５にて加熱した水を第２負荷熱交換器７ｂに供給する点が異なるだけである。
【０１０７】
本発明に係る熱媒供給装置では、制御部１９が、蓄熱運転、給湯運転、バーナー加熱状態での暖房運転、ヒートポンプ加熱状態での暖房運転、バーナー加熱状態での追焚運転、ヒートポンプ加熱状態での追焚運転に加えて、給湯タンク２の殺菌を行う殺菌運転を実行可能に構成されている。
【０１０８】
（殺菌運転）
この殺菌運転では、図９に示すように、制御部１９が、循環ポンプ３を作動させるとともに、第１開閉弁Ｋ１を開き、第２開閉弁Ｋ２を閉じ、第５流路部位Ｒ５からの水と第８流路部位Ｒ８からの水とを合流させて第５流路部位Ｒ５にてヒートポンプ加熱式熱交換器５に供給する状態に第１三方弁Ｓ２を切り換え、第４流路部位Ｒ４からの水を第１負荷熱交換器７ａかつ及びまたは第２負荷熱交換器７ｂに供給する状態に第２三方弁Ｓ２を切り換えて、バーナー燃焼装置の燃焼を開始してバーナー加熱式熱交換器６にて水を加熱する。このようにして、第２水路Ｗ２と第４水路Ｗ４が、給湯タンク２から取り出した水をバーナー加熱式熱交換器６にて加熱し、その加熱された水を給湯タンク２に戻すように水を循環自在に構成されている。したがって、給湯タンク２の水を高温として殺菌消毒することができるので、レジオネラ菌等の繁殖を適切に防止することができる。
【０１０９】
〔第２実施形態〕
この第２実施形態は、上記第１実施形態において、第１水路Ｗ１の構成、及び、第１水路Ｗ１と第３水路Ｗ３との関係についての別実施形態である。その他の構成については、上記第１実施形態と同様であるので、その他の構成については説明を省略し、第１水路Ｗ１の構成、及び、第１水路Ｗ１と第３水路Ｗ３との関係を中心に説明する。
【０１１０】
上記第１実施形態では、第１水路Ｗ１が、第１流路部位Ｒ１と給湯タンク２と第２流路部位Ｒ２とバーナー加熱式熱交換器６と第３流路部位Ｒ３とから構成され、上水の圧力で給湯タンク２から取り出した水をバーナー加熱式熱交換器６を経由して給湯利用箇所１に供給するように構成されている。
それに対して、この第２実施形態では、図１０に示すように、第１水路Ｗ１が、第１流路部位Ｒ１と給湯タンク２と第２流路部位Ｒ２とバーナー加熱式熱交換器６と第８流路部位Ｒ８と第５流路部位Ｒ５の一部とヒートポンプ加熱式熱交換器５と第６流路部位Ｒ６と第３流路部位Ｒ３とから構成されている。つまり第１水路Ｗ１は、上水の圧力で給湯タンク２から取り出した水をバーナー加熱式熱交換器６を経由して給湯利用箇所１に供給するとともに、ヒートポンプ加熱式熱交換器５及びバーナー加熱式熱交換器６を経由して水を給湯利用箇所１に供給自在に構成されている。
【０１１１】
そして、第１水路Ｗ１と第３水路Ｗ３は、第５流路部位Ｒ５の一部、ヒートポンプ加熱式熱交換器５、第６流路部位Ｒ６の一部、循環ポンプ３が共通であり、循環ポンプ３とヒートポンプ加熱式熱交換器５を含む水路が少なくとも共通に構成されている。また、第１水路Ｗ１と第２水路Ｗ２は、第５流路部位Ｒ５の一部、ヒートポンプ加熱式熱交換器５、第６流路部位Ｒ６の全て、循環ポンプ３、第２流路部位Ｒ２の一部、バーナー加熱式熱交換器６、及び、第３流路部位Ｒ３の一部が共通であり、循環ポンプ３とヒートポンプ加熱式熱交換器５とバーナー加熱式熱交換器６を含む水路が少なくとも共通に構成されている。第１水路Ｗ１と第４水路Ｗ４は、第１流路部位Ｒ１の一部、第８流路部位Ｒ８の全て、第５流路部位Ｒ５の一部、ヒートポンプ加熱式熱交換器５、第６流路部位Ｒ６の全て、循環ポンプ３、第２流路部位Ｒ２の一部が共通であり、給湯タンク２と循環ポンプ３とヒートポンプ加熱式熱交換器５を含む水路が少なくとも共通に構成されている。
【０１１２】
〔第３実施形態〕
この第３実施形態は、上記第１及び第２実施形態において、給湯タンク２の水を加熱するための構成を追加した別実施形態である。その他の構成については、上記第１及び第２実施形態と同様であるので、その他の構成については説明を省略し、追加した給湯タンク２の水を加熱するための構成を中心に説明する。
【０１１３】
この第３実施形態における熱媒供給装置では、図１１に示すように、熱と電力を発生する熱電併給装置（図示省略）が設けられており、その熱電併給装置の排熱にて給湯タンク２の水を加熱する排熱熱交換器２０が備えられている。ここで、熱電併給装置は、例えば、エンジンとそのエンジンの出力にて駆動される発電機とを組み合わせたもの、或いは、燃料電池装置を適応することができる。第３実施形態における熱媒供給装置には、一端部が給湯タンク２の下部に接続され且つ他端部が給湯タンク２の上部に接続されて、その途中部位に排熱熱交換器２０及び排熱加熱用循環ポンプ２１が設けられた第９流路部位Ｒ９が備えられている。そして、この第３実施形態における熱媒供給装置には、排熱加熱用循環ポンプ２１の圧力で給湯タンク２から取り出した水を排熱熱交換器２０を経由して給湯タンク２に戻す第５水路Ｗ５が備えられている。そして、この第５水路Ｗ５によって、排熱加熱用循環ポンプ２１の圧力で給湯タンク２から取り出した水を熱電併給装置にて発生した排熱にて加熱し、その加熱された水を給湯タンク２に戻すようにしており、排熱加熱水路が第５水路Ｗ５にて構成されている。
【０１１４】
そして、図示は省略するが、熱電併給装置にて発生した電力がヒートポンプ装置４の駆動用電力として供給自在に構成されており、制御部１９は、熱電併給装置が発生する電力のうち、電力供給部（例えば、照明やテレビ等の電力消費機器）にて消費されない余剰電力の少なくとも一部をヒートポンプ装置４に供給することで、その余剰電力の少なくとも一部を用いてヒートポンプ装置４を作動自在に構成されている。この場合には、余剰電力が発生すると、例えば、制御部１９は、蓄熱条件が満たされたとして、上述の蓄熱運転を行う。これにより、余剰電力が発生すると、その余剰電力を熱に変換して給湯タンク２に蓄熱し、その蓄熱された熱を給湯利用箇所１に供給することができ、余剰電力を給湯利用箇所１にて利用される熱として有効に活用することができ、エネルギー効率の向上を図ることができる。
【０１１５】
また、追加する給湯タンク２の水を加熱するための構成として、熱電併給装置にて発生する排熱により給湯タンク２の水を加熱する構成を述べたが、この構成に代えて又はこの構成に加えて、排熱熱交換器２０を太陽熱により水を加熱する太陽熱熱交換器に代えることで、太陽熱により給湯タンク２の水を加熱して給湯タンク２に蓄熱することもできる。また、排熱熱交換器２０に加えて、太陽熱により水を加熱する太陽熱熱交換器を備え、熱電併給装置の排熱及び太陽熱の双方にて給湯タンク２の水を加熱することもできる。
【０１１６】
〔第４実施形態〕
この第４実施形態は、上記第１及び第２実施形態において、第１負荷熱交換器７ａと第２負荷熱交換器７ｂとの配置形態の別実施形態である。その他の構成については、上記第１及び第２実施形態と同様であるので、その他の構成については説明を省略し、第１負荷熱交換器７ａと第２負荷熱交換器７ｂとの配置形態を中心に説明する。
【０１１７】
上記第１及び第２実施形態では、第１負荷熱交換器７ａと第２負荷熱交換器７ｂが並列状態で設けられているが、この第４実施形態では、図１２に示すように、第１負荷熱交換器７ａと第２負荷熱交換器７ｂが直列状態で設けられている。
この第４実施形態において、図示は省略するが、上述の第３実施形態にて述べた如く、図１１に示す貯湯タンク２の水を加熱するための構成を追加することもできる。
【０１１８】
〔第５実施形態〕
この第５実施形態は、上記第１及び第２実施形態において、循環ポンプ３の配設位置の別実施形態である。その他の構成については、上記第１及び第２実施形態と同様であるので、その他の構成については説明を省略し、循環ポンプ３の配設位置を中心に説明する。
【０１１９】
上記第１及び第２実施形態では、循環ポンプ３が第６流路部位Ｒ６に配置されていたが、この第５実施形態では、図１３に示すように、循環ポンプ３が第５流路部位Ｒ５に配置されており、第５流路部位Ｒ５において、第１三方弁Ｓ１とヒートポンプ加熱式熱交換器５の接続箇所との間の部位に循環ポンプ３が配置されている。これにより、この第５実施形態では、第５流路部位Ｒ５が、その途中部位に循環ポンプ３が設けられて負荷熱交換器７とヒートポンプ加熱式熱交換器５を接続するように構成され、第６流路部位Ｒ６が、ヒートポンプ加熱式熱交換器５と第２流路部位Ｒ２の途中部位を接続するように構成され、第７流路部位Ｒ７が、その途中部位に第２開閉弁Ｋ２が設けられて第６流路部位Ｒ６及び第４流路部位Ｒ４における第１開閉弁Ｋ１と負荷熱交換器７の間の部位を接続するように構成されている。
この第５実施形態において、図示は省略するが、上述の第３実施形態にて述べた如く、図１１に示す貯湯タンク２の水を加熱するための構成を追加することもできる。また、図示は省略するが、上述の第４実施形態にて述べた如く、図１２に示す第１負荷熱交換器７ａと第２負荷熱交換器７ｂが直列状態で設けられている場合でも、循環ポンプ３の配設位置を第６流路部位Ｒ６から第５流路部位Ｒ５の第１三方弁Ｓ１とヒートポンプ加熱式熱交換器５の接続箇所との間の部位に変更することができる。
【０１２０】
〔第６実施形態〕
この第６実施形態は、上記第１実施形態において、第１水路Ｗ１の構成、及び、第１水路Ｗ１と第２水路Ｗ２との関係についての別実施形態である。その他の構成については、上記第１実施形態と同様であるので、その他の構成については説明を省略し、第１水路Ｗ１の構成、及び、第１水路Ｗ１と第２水路Ｗ２との関係を中心に説明する。
【０１２１】
上記第１実施形態では、第１水路Ｗ１と第２水路Ｗ２は、バーナー加熱式熱交換器６を含む水路が共通に構成されていたが、この第６実施形態では、図１４に示すように、第１水路Ｗ１と第２水路Ｗ２は、循環ポンプ３とバーナー加熱式熱交換器６と負荷熱交換器７とヒートポンプ加熱式熱交換器５を含む水路が少なくとも共通に構成されている。
つまり、第１水路Ｗ１は、第１流路部位Ｒ１と給湯タンク２と第２流路部位Ｒ２とバーナー加熱式熱交換器６と第３流路部位Ｒ３と第４流路部位Ｒ４と負荷熱交換器７と第５流路部位Ｒ５とヒートポンプ加熱式熱交換器５と第６流路部位Ｒ６とから構成されている。これにより、第１水路Ｗ１は、上水の圧力で給湯タンク２から取り出した水をバーナー加熱式熱交換器６に供給できるとともに、循環ポンプ３の圧力でバーナー加熱式熱交換器６と負荷熱交換器７とヒートポンプ加熱式熱交換器５を経由して循環される水をもバーナー加熱式熱交換器６に供給できる。したがって、上水の圧力だけでなく、循環ポンプの圧力をも利用して、バーナー加熱式熱交換器６に対して水を供給することができるとともに、給湯タンク２から取り出した水だけでなく、バーナー加熱式熱交換器６と負荷熱交換器７とヒートポンプ加熱式熱交換器５を経由して循環される水をも、バーナー加熱式熱交換器６に供給して、給湯利用箇所１に供給される水の水量として十分な水量を確保することができる。しかも、給湯タンク２から取り出した水がバーナー加熱式熱交換器６にて加熱された水と混合されて、その混合された水がバーナー加熱式熱交換器６に供給されるので、バーナー加熱式熱交換器６に供給される水の温度が比較的安定した温度となり、その結果、給湯利用箇所１にて要求されている給湯設定温度の水を安定して供給することができる。
【０１２２】
この第６実施形態において、上述の第３実施形態にて述べた如く、図１１に示すように、貯湯タンク２の水を加熱するための構成を追加することもできる。また、上述の第４実施形態にて述べた如く、図１２に示すように、第１負荷熱交換器７ａと第２負荷熱交換器７ｂを直列状態で設けることもできる。更に、上述の第５実施形態にて述べた如く、図１３に示すように、循環ポンプ３の配置位置について、第５流路部位Ｒ５において、第１三方弁Ｓ１とヒートポンプ加熱式熱交換器５の接続箇所との間の部位に循環ポンプ３を配置することもできる。
【０１２３】
〔第７実施形態〕
この第７実施形態では、上記第１、第２、第６実施形態において、図１５に示すように、少なくともバーナー加熱式熱交換器６をバイパスして循環ポンプ３の圧力を使わずに上水の圧力で給湯タンク２から取り出した水を給湯利用箇所１に直接供給する第１バイパス水路Ｖ１を形成可能に構成されている。
【０１２４】
この第７実施形態では、上記第１、第２、第６実施形態にて述べた如く、第１〜第８流路部位Ｒ１〜Ｒ８に加えて、第２流路部位Ｒ２における給湯タンク２と第６流路部位Ｒ６への接続箇所までの間の部位及び第３流路部位Ｒ３における第４流路部位Ｒ４への接続箇所と給湯利用箇所１までの間の部位を接続する第１バイパス流路部位Ｂ１が備えられている。第１バイパス流路部位Ｂ１の途中部位には、第３開閉弁Ｋ３が備えられており、第２流路部位Ｒ２において、第１バイパス流路部位Ｂ１との接続箇所と第４流路部位Ｒ４の接続箇所との間の部位に第４開閉弁Ｋ４が備えられている。そして、第１バイパス水路Ｖ１は、第１流路部位Ｒ１と給湯タンク２と第２流路部位Ｒ２の一部と第１バイパス流路部位Ｂ１と第３流路部位Ｒ３の一部とから構成されており、制御部１９は、第３開閉弁Ｋ３を開動作させ且つ第４開閉弁Ｋ４を閉動作させることで、第１バイパス水路Ｖ１によって、給湯タンク２から取り出した水をバーナー加熱式熱交換器６を介さずにバイパスして給湯利用箇所１に直接供給している。
【０１２５】
このように、第１バイパス水路Ｖ１を形成することで、例えば、給湯タンク２に給湯設定温度と同様又はそれよりも高温の水が貯留されていると、その水を第１バイパス水路Ｖ１にてバーナー加熱式熱交換器６を介さずに給湯利用箇所１に直接供給することができる。また、第１バイパス水路Ｖ１では、バーナー加熱式熱交換器６を介さずに、給湯タンク２の水を給湯利用箇所に供給することができるので、図１５中太線にて示すように、第１バイパス水路Ｖ１にて、上水の圧力で給湯タンク２から取り出した水を給湯利用箇所１に供給することと、第２水路Ｗ２にて、循環ポンプ３の圧力でバーナー加熱式熱交換器６と負荷熱交換器７を経由して水を循環させることを、お互いに干渉することなく同時に行うことができる。その結果、給湯利用箇所１への給湯とバーナー加熱式熱交換器６を熱源とする暖房負荷又は追焚負荷での熱消費を容易に同時に行うことができる。図１５では、第２水路Ｗ２による水の循環形態として、バーナー加熱状態での暖房運転を示しているが、他の水の循環形態にて実施することも可能である。
【０１２６】
この第７実施形態において、図示は省略するが、上述の第３実施形態にて述べた如く、図１１に示すように、貯湯タンク２の水を加熱するための構成を追加することもできる。また、図示は省略するが、上述の第４実施形態にて述べた如く、図１２に示すように、第１負荷熱交換器７ａと第２負荷熱交換器７ｂを直列状態で設けることもできる。更に、図示は省略するが、上述の第５実施形態にて述べた如く、図１３に示すように、循環ポンプ３の配置位置について、第５流路部位Ｒ５において、第１三方弁Ｓ１とヒートポンプ加熱式熱交換器５の接続箇所との間の部位に循環ポンプ３を配置することもできる。
【０１２７】
この第７実施形態では、上述の如く、第２流路部位Ｒ２に第４開閉弁Ｋ４を備える例を示したが、図１５中点線で示すように、この第４開閉弁Ｋ４に代えて、第２流路部位Ｒ２と第４流路部位Ｒ４との接続箇所に三方弁を備えて実施することもできる。
【０１２８】
〔第８実施形態〕
この第８実施形態では、図１６に示すように、上記第１、第２、第６実施形態において、給湯タンク２からの水の取り出しを停止するために、第２流路部位Ｒ２において給湯タンク２と第４流路部位Ｒ４の接続箇所との間の部位に第５開閉弁Ｋ５を備えている。これにより、制御部１９が、第５開閉弁Ｋ５を閉動作することで、給湯タンク２からの水の取り出しを停止することができる。
この第８実施形態では、上述の如く、第２流路部位Ｒ２に第５開閉弁Ｋ５を備える例を示したが、図１６中点線で示すように、この第５開閉弁Ｋ５に代えて、第２流路部位Ｒ２と第４流路部位Ｒ４との接続箇所に三方弁を備えて実施することもできる。
この第８実施形態において、図示は省略するが、上述の第３実施形態にて述べた如く、図１１に示すように、貯湯タンク２の水を加熱するための構成を追加することもできる。また、図示は省略するが、上述の第４実施形態にて述べた如く、図１２に示すように、第１負荷熱交換器７ａと第２負荷熱交換器７ｂを直列状態で設けることもできる。更に、図示は省略するが、上述の第５実施形態にて述べた如く、図１３に示すように、循環ポンプ３の配置位置について、第５流路部位Ｒ５において、第１三方弁Ｓ１とヒートポンプ加熱式熱交換器５の接続箇所との間の部位に循環ポンプ３を配置することもできる。加えて、図示は省略するが、上述の第７実施形態にて述べた如く、図１５に示すように、少なくともバーナー加熱式熱交換器６をバイパスして循環ポンプ３の圧力を使わずに上水の圧力で給湯タンク２から取り出した水を給湯利用箇所１に直接供給する第１バイパス水路Ｖ１を形成可能に構成することもできる。
【０１２９】
〔第９実施形態〕
この第９実施形態では、上記第１、第２、第６実施形態において、図１７に示すように、循環ポンプ３の圧力でヒートポンプ加熱式熱交換器５をバイパスしてバーナー加熱式熱交換器６と負荷熱交換器７を経由して水を循環する第２バイパス水路Ｖ２を形成可能に構成されている。
【０１３０】
つまり、この第９実施形態では、上記第１、第２、第６実施形態で述べた如く、第１流路部位Ｒ１〜第８流路部位Ｒ８に加えて、第５流路部位Ｒ５の途中部位（負荷熱交換器７と第１三方弁Ｋ１との間の部位）と第６流路部位Ｒ６におけるヒートポンプ加熱式熱交換器５と循環ポンプ３との間の部位を接続する第２バイパス流路部位Ｂ２が備えられている。そして、第５流路部位Ｒ５と第２バイパス流路部位Ｂ２の接続箇所に第３三方弁Ｓ３が備えられている。第２バイパス水路Ｖ２は、バーナー加熱式熱交換器６と第３流路部位Ｒ３の一部と第４流路部位Ｒ４と負荷熱交換器７と第５流路部位Ｒ５の一部と第２バイパス流路部位Ｂ２と第６流路部位Ｒ６の一部と第２流路部位Ｒ２の一部とから構成されている。これにより、第２バイパス水路Ｖ２は、循環ポンプ３の圧力で、ヒートポンプ加熱式熱交換器５を介さずに、ヒートポンプ加熱式熱交換器５をバイパスしてバーナー加熱式熱交換器６と負荷熱交換器７を経由して水を循環するように構成されている。
【０１３１】
図１７では、バーナー加熱状態での暖房運転を示しており、制御部１９が、第１開閉弁Ｋ１を開き且つ第２開閉弁Ｋ２を閉じるとともに、第５流路部位Ｒ５からの水を第２バイパス流路部位Ｂ２に供給する状態に第３三方弁Ｓ３を切り換え且つ第４流路部位Ｒ４からの水を第１負荷熱交換器７ａに供給する状態に第２三方弁Ｓ２を切り換えて、循環ポンプ３を作動させる。そして、制御部１９は、バーナー燃焼装置の燃焼を開始するとともに、第１熱媒循環ポンプ１５を作動させて、第１熱媒循環路１３にて暖房端末１２と第１負荷熱交換器７ａの間で熱媒を循環させている。これにより、バーナー加熱式熱交換器６にて加熱された水は、第３流路部位Ｒ３、第４流路部位Ｒ４を通して第１負荷熱交換器７ａに供給され、第１負荷熱交換器７ａを通過した水が、第５流路部位Ｒ５、第２バイパス流路部位Ｂ２、第６流路部位Ｒ６、第２流路部位Ｒ２を通して、ヒートポンプ加熱式熱交換器５を介さずにバーナー加熱式熱交換器６に戻されている。このように、第２バイパス水路Ｖ２では、水がヒートポンプ加熱式熱交換器５を通過しないことで放熱を防止しており、それだけエネルギー効率の向上を図ることができる。
【０１３２】
図示は省略するが、バーナー加熱状態での追焚運転においても、図１７にて示すバーナー加熱状態での暖房運転と同様に、制御部１９が、第５流路部位Ｒ５からの水を第２バイパス流路部位Ｂ２に供給する状態に第３三方弁Ｓ３を切り換えることで、第２バイパス水路Ｖ２によって、ヒートポンプ加熱式熱交換器５を介さずに、ヒートポンプ加熱式熱交換器５をバイパスしてバーナー加熱式熱交換器６と負荷熱交換器７を経由して水を循環することができる。また、上記第１実施形態にて、図９にて示した殺菌運転においても、図１７にて示すバーナー加熱状態での暖房運転と同様に、制御部１９が、第５流路部位Ｒ５からの水を第２バイパス流路部位Ｂ２に供給する状態に第３三方弁Ｓ３を切り換えることで、第２バイパス水路Ｖ２によって、ヒートポンプ加熱式熱交換器５を介さずに、ヒートポンプ加熱式熱交換器５をバイパスしてバーナー加熱式熱交換器６と負荷熱交換器７を経由して水を循環することができる。そして、上記第１実施形態において、図５にて示した蓄熱運転とバーナー加熱状態での暖房運転とを同時に行う場合や、図７にて示した給湯運転とバーナー加熱状態での暖房運転とを同時に行う場合に、制御部１９が、第５流路部位Ｒ５からの水を第２バイパス流路部位Ｂ２に供給する状態に第３三方弁Ｓ３を切り換えることで、第２バイパス水路Ｖ２によって、第１負荷熱交換器７ａを通過した水をヒートポンプ加熱式熱交換器５を介さずにバーナー加熱式熱交換器６に戻すこともできる。
【０１３３】
この第９実施形態において、図示は省略するが、上述の第３実施形態にて述べた如く、図１１に示すように、貯湯タンク２の水を加熱するための構成を追加することもできる。また、図示は省略するが、上述の第４実施形態にて述べた如く、図１２に示すように、第１負荷熱交換器７ａと第２負荷熱交換器７ｂを直列状態で設けることもできる。更に、図示は省略するが、上述の第７実施形態にて述べた如く、図１５に示すように、少なくともバーナー加熱式熱交換器６をバイパスして循環ポンプ３の圧力を使わずに上水の圧力で給湯タンク２から取り出した水を給湯利用箇所１に直接供給する第１バイパス水路Ｖ１を形成可能に構成することもできる。更に加えて、図示は省略するが、上述の第８実施形態にて述べた如く、図１６に示すように、給湯タンク２からの水の取り出しを停止することもできる。
【０１３４】
この第９実施形態では、上述の如く、第５流路部位Ｒ５と第２バイパス流路部位Ｂ２の接続箇所に第３三方弁Ｓ３を備える例を示したが、図１７中点線で示すように、この第３三方弁Ｓ３に代えて、第２バイパス流路部位Ｂ２の途中部位に開閉弁を備えて実施することもできる。
【０１３５】
〔第１０実施形態〕
この第１０実施形態は、第１、第２、第６実施形態において、第１開閉弁Ｋ１、第２開閉弁Ｋ２、及び、第１三方弁Ｓ１についての別実施形態を示すものである。
つまり、図１８に示すように、第１開閉弁Ｋ１及び第２開閉弁Ｋ２に代えて、第４流路部位Ｒ４と第７流路部位Ｒ７の接続箇所に第４三方弁Ｓ４を備えることができる。また、第１三方弁Ｓ１に代えて、第８流路部位Ｒ８の途中部位に第６開閉弁Ｋ６を備えることができる。
この第１０実施形態において、図示は省略するが、上述の第３実施形態にて述べた如く、図１１に示すように、貯湯タンク２の水を加熱するための構成を追加することもできる。また、図示は省略するが、上述の第４実施形態にて述べた如く、図１２に示すように、第１負荷熱交換器７ａと第２負荷熱交換器７ｂを直列状態で設けることもできる。更に、図示は省略するが、上述の第５実施形態にて述べた如く、図１３に示すように、循環ポンプ３の配置位置について、第５流路部位Ｒ５において、第１三方弁Ｓ１とヒートポンプ加熱式熱交換器５の接続箇所との間の部位に循環ポンプ３を配置することもできる。加えて、図示は省略するが、上述の第７実施形態にて述べた如く、図１５に示すように、少なくともバーナー加熱式熱交換器６をバイパスして循環ポンプ３の圧力を使わずに上水の圧力で給湯タンク２から取り出した水を給湯利用箇所１に直接供給する第１バイパス水路Ｖ１を形成可能に構成することもできる。更に加えて、図示は省略するが、上述の第８実施形態にて述べた如く、図１６に示すように、給湯タンク２からの水の取り出しを停止することもできる。そして、図示は省略するが、上述の第９実施形態にて述べた如く、図１７に示すように、循環ポンプ３の圧力でヒートポンプ加熱式熱交換器５をバイパスしてバーナー加熱式熱交換器６と負荷熱交換器７を経由して水を循環する第２バイパス水路Ｖ２を形成可能に構成することもできる。
【０１３６】
〔第１１実施形態〕
この第１１実施形態は、上記第３実施形態における給湯タンク２の水を加熱するための構成についての別実施形態である。上記第３実施形態では、給湯タンク２の水を加熱するための構成として、図１１に示すように、給湯タンク２から取り出した水を排熱熱交換器２０により熱電併給装置にて発生した排熱にて加熱し、その加熱された水を給湯タンク２に戻す第５水路Ｗ５（排熱加熱水路に相当する）を備えており、第５水路Ｗ５と第４水路Ｗ４は、独立して水を通流させるように構成されている。
【０１３７】
この第１１実施形態では、上記第３実施形態と同様に、排熱熱交換器２０を備えるものであるが、その配設位置が異なり、図１９に示すように、排熱熱交換器２０が、第６流路部位Ｒ６における第７流路部位Ｒ７との接続箇所と第２流路部位Ｒ２との接続箇所との間の部位に配設されている。これにより、第５水路Ｗ５は、第４水路Ｗ４（図１の太線参照）と兼用となっている。つまり、第４水路Ｗ４及び第５水路Ｗ５の両水路は、給湯タンク１と第１流路部位Ｒ１の一部と第８流路部位Ｒ８と第５流路部位Ｒ５の一部とヒートポンプ加熱式熱交換器５と第６流路部位Ｒ６と排熱熱交換器２０と第２流路部位Ｒ２の一部とから構成された共通の構成となっている。
【０１３８】
そして、上記第３実施形態でも述べた如く、第５水路Ｗ５は排熱加熱水路として構成されているので、排熱加熱水路としての第５水路Ｗ５と第４水路Ｗ４を共通の構成とすることができる。ここで、上記第３実施形態と同様に、排熱熱交換器２０を太陽熱により水を加熱する太陽熱熱交換器に代えることもできる。この場合には、第５水路Ｗ５が、給湯タンク２から取り出した水を太陽熱にて加熱し、その加熱された水を給湯タンク２に戻す太陽熱加熱水路として構成されることになり、太陽熱加熱水路としての第５水路Ｗ５と第４水路Ｗ４を共通の構成とすることができる。したがって、この第１１実施形態では、太陽熱加熱水路と排熱加熱水路の少なくとも一方が、第４水路Ｗ４と兼用となっている。
【０１３９】
この第１１実施形態では、排熱熱交換器２０を、第６流路部位Ｒ６における第７流路部位Ｒ７との接続箇所と第２流路部位Ｒ２との接続箇所との間の部位に配設しているので、第２水路Ｗ２を、循環ポンプ３の圧力でバーナー加熱式熱交換器６と負荷熱交換器７とヒートポンプ加熱式熱交換器５と排熱熱交換器２０を経由して水が循環する水路として構成することができる。これにより、第２水路Ｗ２が、循環ポンプ３の圧力で、給湯タンク２を介さずに、排熱熱交換器２０及びバーナー加熱式熱交換器にて加熱した水を負荷熱交換器７に供給することができる。したがって、第２水路Ｗ２では、バーナー加熱式熱交換器６に加え、排熱熱交換器２０にて加熱した水を負荷熱交換器７に供給するので、熱電併給装置にて発生した排熱をも負荷熱交換器７に供給することができ、省エネ性の向上を図ることができる。
【０１４０】
この第１１実施形態において、図示は省略するが、上述の第４実施形態にて述べた如く、図１２に示すように、第１負荷熱交換器７ａと第２負荷熱交換器７ｂを直列状態で設けることもできる。また、図示は省略するが、上述の第５実施形態にて述べた如く、図１３に示すように、循環ポンプ３の配置位置について、第５流路部位Ｒ５において、第１三方弁Ｓ１とヒートポンプ加熱式熱交換器５の接続箇所との間の部位に循環ポンプ３を配置することもできる。更に、図示は省略するが、上述の第６実施形態にて述べた如く、図１４に示すように、第１水路Ｗ１と第２水路Ｗ２を、循環ポンプ３とバーナー加熱式熱交換器６と負荷熱交換器７とヒートポンプ加熱式熱交換器５を含む水路を少なくとも共通に構成することができる。加えて、図示は省略するが、上述の第７実施形態にて述べた如く、図１５に示すように、少なくともバーナー加熱式熱交換器６をバイパスして循環ポンプ３の圧力を使わずに上水の圧力で給湯タンク２から取り出した水を給湯利用箇所１に直接供給する第１バイパス水路Ｖ１を形成可能に構成することもできる。更に加えて、図示は省略するが、上述の第８実施形態にて述べた如く、図１６に示すように、給湯タンク２からの水の取り出しを停止することもできる。そして、図示は省略するが、上述の第９実施形態にて述べた如く、図１７に示すように、循環ポンプ３の圧力でヒートポンプ加熱式熱交換器５をバイパスしてバーナー加熱式熱交換器６と負荷熱交換器７を経由して水を循環する第２バイパス水路Ｖ２を形成可能に構成することもできる。また、図示は省略するが、上述の第１０実施形態にて述べた如く、図１８に示すように、第１開閉弁Ｋ１及び第２開閉弁Ｋ２に代えて第４三方弁Ｓ４を備え、第１三方弁Ｓ１に代えて第６開閉弁Ｋ６を備えることもできる。
【０１４１】
〔別実施形態〕
（１）上記第１〜第１１実施形態では、暖房運転及び追焚運転において、制御部１９が、負荷熱交換器７で要求されている熱負荷に対して、バーナー加熱状態に切り換えた場合とヒートポンプ加熱状態に切り換えた場合との夫々の１次エネルギー消費量を求め、その求めた１次エネルギー消費量が小さい方に切り換えているが、この構成に代えて、例えば、高温暖房端末から運転要求があると、バーナー加熱状態での暖房運転を行い、低温暖房端末から運転要求があると、ヒートポンプ加熱状態での暖房運転を行うことができ、どの暖房端末から運転要求があるかによって、バーナー加熱状態とヒートポンプ加熱状態を切り換えて暖房運転を行うことができる。また、追焚運転として、浴槽水の温度を目標温度まで上昇させる時間が短い高速追焚運転と、その高速追焚運転よりも浴槽水の温度を目標温度まで上昇させる時間が長い低速追焚運転とを備え、高速追焚運転が要求されたときには、バーナー加熱状態での追焚運転を行い、低速追焚運転が要求されたときには、ヒートポンプ加熱状態での追焚運転を行い、高速追焚運転と低速追焚運転とのどちらが要求されているかによってバーナー加熱状態とヒートポンプ加熱状態を切り換えて追焚運転を行うことができる。また、制御部１９に、外気温度や浴槽温度等に基づいて、バーナー加熱状態とヒートポンプ加熱状態を切り換えるための切換条件を設定しておき、制御部１９が、切換条件を満たしているか否かによって、バーナー加熱状態とヒートポンプ加熱状態を切り換えて暖房運転及び追焚運転を行うこともできる。
【０１４２】
（２）上記第１〜第１１実施形態では、第１開閉弁Ｋ１や第２開閉弁Ｋ２等の開閉弁を備える例を示しているが、この開閉弁に代えて、比例弁とすることもできる。つまり、例えば、第１開閉弁Ｋ１を第１比例弁とし、第２開閉弁Ｋ２を第２比例弁とすることができる。
【産業上の利用可能性】
【０１４３】
本発明は、給湯利用箇所に供給する水を貯留する給湯タンクと、水路の水を循環させる循環ポンプと、ヒートポンプ装置により水を加熱するヒートポンプ加熱式熱交換器と、バーナー燃焼装置により水を加熱するバーナー加熱式熱交換器と、暖房負荷と追焚負荷の少なくとも一方で熱を消費する負荷熱交換器とを備え、配管が簡易でシンプルなものであり、熱交換器として構造が複雑な三流体熱交換器等の構造を採用する必要がなく、循環ポンプや熱交換器の数を極力少なくして、構成の簡素化及びコストの低減を図ることができる各種の熱媒供給装置に適応可能である。
【符号の説明】
【０１４４】
１        給湯利用箇所
２        給湯タンク
３        循環ポンプ
４        ヒートポンプ装置
５        ヒートポンプ加熱式熱交換器
６        バーナー加熱式熱交換器
７        負荷熱交換器
７ａ      第１負荷熱交換器
７ｂ      第２負荷熱交換器
１９      切換手段（制御部）
Ｂ１      第１バイパス流路部位
Ｂ２      第２バイパス流路部位
Ｋ１      第１開閉弁
Ｋ２      第２開閉弁
Ｋ３      第３開閉弁
Ｋ４      第４開閉弁
Ｋ５      第５開閉弁
Ｋ６      第６開閉弁
Ｓ１      第１三方弁
Ｓ２      第２三方弁
Ｓ３      第３三方弁
Ｓ４      第４三方弁
Ｖ１      第１バイパス水路
Ｖ２      第２バイパス水路
Ｗ１      第１水路
Ｗ２      第２水路
Ｗ３      第３水路
Ｗ４      第４水路
Ｗ５      排熱加熱水路（第５水路）
Ｒ１      第１流路部位
Ｒ２      第２流路部位
Ｒ３      第３流路部位
Ｒ４      第４流路部位
Ｒ５      第５流路部位
Ｒ６      第６流路部位
Ｒ７      第７流路部位
Ｒ８      第８流路部位
Ｒ９      第９流路部位
【図１】
2011247568.tif 000003
【図２】
2011247568.tif 000004
【図３】
2011247568.tif 000005
【図４】
2011247568.tif 000006
【図５】
2011247568.tif 000007
【図６】
2011247568.tif 000008
【図７】
2011247568.tif 000009
【図８】
2011247568.tif 000010
【図９】
2011247568.tif 000011
【図１０】
2011247568.tif 000012
【図１１】
2011247568.tif 000013
【図１２】
2011247568.tif 000014
【図１３】
2011247568.tif 000015
【図１４】
2011247568.tif 000016
【図１５】
2011247568.tif 000017
【図１６】
2011247568.tif 000018
【図１７】
2011247568.tif 000019
【図１８】
2011247568.tif 000020
【図１９】
2011247568.tif 000021